【手続補正書】
【提出日】平成16年10月7日(2004.10.7)
【手続補正１】
【補正対象書類名】明細書
【補正対象項目名】全文
【補正方法】変更
【補正の内容】
【書類名】      明細書
【発明の名称】  面放電型プラズマディスプレイ装置、面放電型プラズマディスプレイパネル及び面放電型プラズマディスプレイパネル用基板
【特許請求の範囲】
【請求項１】  第１基板と、
前記第１基板の内面上に第１の方向に形成された複数対の表示電極と、
前記第１の方向と交差する第２の方向に形成された複数のアドレス電極を有し、前記第１基板と共に、複数の画素がそれぞれ、赤、青および緑の各発光色に対応する単位発光領域より構成されるように放電空間を挟む第２基板と、
前記各発光色が発光可能なように前記複数のアドレス電極の各々に対応して設けられた前記各発光色の蛍光体と、
前記第２基板上に前記第２の方向に延在して設けられ、前記各発光色の加色によって実現される色温度が６５００Ｋ以上となるように、少なくとも前記各発光色の内のいずれか一つの発光色に対応する実質的な離間間隔が他の発光色に対応する離間間隔と異なるように前記第１の方向に離間し、前記各発光色の蛍光体の各々がその側面に付着してなる複数の隔壁と、
を含む面放電型プラズマディスプレイパネルと、
前記面放電型プラズマディスプレイパネルを駆動するための、前記面放電型プラズマディスプレイパネルの前記複数対の表示電極の各対を構成する電極それぞれに接続された表示電極駆動回路と、
前記面放電型プラズマディスプレイパネルの前記複数のアドレス電極に接続されたアドレス電極駆動回路と、
前記表示電極駆動回路および前記アドレス電極駆動回路のそれぞれを制御するための制御部とを、
含む駆動制御部と、
を備えることを特徴とする面放電型プラズマディスプレイ装置。
【請求項２】  前記いずれか一つの発光色が青色であることを特徴とする請求項１記載の面放電型プラズマディスプレイ装置。
【請求項３】 前記各発光色の内のいずれか一つの発光色に対応する実質的な隔壁の離間間隔が、前記複数の画素におけるいずれか一つの画素の前記第１方向に関する幅の１／３よりも大きいことを特徴とする請求項１又は２に記載の面放電型プラズマディスプレイ装置。
【請求項４】  前記各発光色の加色によって実現される色温度が約９３００Ｋ以上であることを特徴とする請求項１乃至３のいずれか一項に記載の面放電型プラズマディスプレイ装置。
【請求項５】  第１基板と、
前記第１基板の内面上に第１の方向に形成された複数対の表示電極と、
前記第１の方向と交差する第２の方向に形成された複数のアドレス電極を有し、前記第１基板と共に、複数の画素がそれぞれ、赤、青および緑の各発光色に対応する単位発光領域より構成されるように放電空間を挟む第２基板と、
前記各発光色が発光可能なように前記複数のアドレス電極の各々に対応して設けられた前記各発光色の蛍光体と、
前記第２基板上に前記第２の方向に延在して設けられ、前記各発光色の加色によって実現される色温度が６５００Ｋ以上となるように、少なくとも前記各発光色の内のいずれか一つの発光色に対応する実質的な離間間隔が他の発光色に対応する離間間隔と異なるように前記第１の方向に離間し、前記各発光色の蛍光体の各々がその側面に付着してなる複数の隔壁と、
を含む面放電型プラズマディスプレイパネル。
【請求項６】  前記いずれか一つの発光色が青色であることを特徴とする請求項５記載の面放電型プラズマディスプレイパネル。
【請求項７】 前記各発光色の内のいずれか一つの発光色に対応する実質的な隔壁の離間間隔が、前記複数の画素におけるいずれか一つの画素の前記第１方向における幅の１／３よりも大きいことを特徴とする請求項５又は６に記載の面放電型プラズマディスプレイパネル。
【請求項８】  前記各発光色の加色によって実現される色温度が約９３００Ｋ以上であることを特徴とする請求項５乃至７のいずれかに記載の面放電型プラズマディスプレイパネル。
【請求項９】  請求項１ないし４のいずれかに記載の面放電型プラズマディスプレイ装置であって、
前記第１基板及び前記第２基板の内で前記面放電型プラズマディスプレイパネルの表示面側基板に該当する基板の前方側に配置され、可視発光波長領域において各波長に対して透過率が略均一なスペクトルを有するフィルターを更に備えたことを特徴とする、
面放電型プラズマディスプレイ装置。
【請求項１０】  請求項１ないし４のいずれかに記載の面放電型プラズマディスプレイ装置であって、
前記第１基板及び前記第２基板の内で前記面放電型プラズマディスプレイパネルの表示面側基板に該当する基板は、可視発光波長領域において各波長に対して透過率が略均一なスペクトルを有する様に着色されていることを特徴とする、
面放電型プラズマディスプレイ装置。
【請求項１１】  請求項５ないし８のいずれかに記載の面放電型プラズマディスプレイパネルであって、
前記第１基板及び前記第２基板の内で前記面放電型プラズマディスプレイパネルの表示面側基板に該当する基板は、可視発光波長領域において各波長に対して透過率が略均一なスペクトルを有する様に着色されていることを特徴とする、
面放電型プラズマディスプレイパネル。
【請求項１２】  請求項２記載の面放電型プラズマディスプレイ装置であって、
前記第１基板の前記内面上に形成され、且つ、前記複数の表示電極を被覆する誘電体層と、
前記誘電体層の内部であって、前記青色の発光色のセルに対応する位置に配設され、且つ、青色光の波長についての透過率が赤色光の波長についての透過率よりも高いスペクトルを有するフィルターとを更に備えたことを特徴とする、
面放電型プラズマディスプレイ装置。
【請求項１３】  請求項６記載の面放電型プラズマディスプレイパネルであって、
前記第１基板の前記内面上に形成され、且つ、前記複数の表示電極を被覆する誘電体層と、
前記誘電体層の内部であって、前記青色の発光色のセルに対応する位置に配設され、且つ、青色光の波長についての透過率が赤色光の波長についての透過率よりも高いスペクトルを有するフィルターとを更に備えたことを特徴とする、
面放電型プラズマディスプレイパネル。
【請求項１４】  請求項３記載の面放電型プラズマディスプレイ装置であって、
前記複数のアドレス電極の各々の内で外部と接続される端子部を除く部分は、それぞれ前記複数の隔壁の内で当該アドレス電極に対応する隣り合う隔壁間の略中央に位置するように配設されており、
前記複数のアドレス電極の各々の前記端子部は、等しい間隔で順次に配列するように前記第２基板の端部上に形成されていることを特徴とする、
面放電型プラズマディスプレイ装置。
【請求項１５】  請求項７記載の面放電型プラズマディスプレイパネルであって、
前記複数のアドレス電極の各々の内で外部と接続される端子部を除く部分は、それぞれ前記複数の隔壁の内で当該アドレス電極に対応する隣り合う隔壁間の略中央に位置するように配設されており、
前記複数のアドレス電極の各々の前記端子部は、等しい間隔で順次に配列するように前記第２基板の端部上に形成されていることを特徴とする、
面放電型プラズマディスプレイパネル。
【請求項１６】  請求項１ないし３のいずれかに記載の面放電型プラズマディスプレイ装置であって、
前記複数のアドレス電極の内で、前記各発光色の内のいずれか一つの発光色の単位発光領域に対応するアドレス電極の前記第１方向の幅は、前記他の発光色に対応するアドレス電極の前記第１方向の幅と対比して異なっていることを特徴とする、
面放電型プラズマディスプレイ装置。
【請求項１７】  請求項１６に記載の面放電型プラズマディスプレイ装置であって、  前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも細くなることを特徴とする、
面放電型プラズマディスプレイ装置。
【請求項１８】  請求項１６に記載の面放電型プラズマディスプレイ装置であって、  前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも太くなることを特徴とする、
面放電型プラズマディスプレイ装置。
【請求項１９】  請求項５ないし７のいずれかに記載の面放電型プラズマディスプレイパネルであって、
前記複数のアドレス電極の内で、前記各発光色の内のいずれか一つの発光色の単位発光領域に対応するアドレス電極の前記第１方向の幅は、前記他の発光色に対応するアドレス電極の前記第１方向の幅と対比して異なっていることを特徴とする、
面放電型プラズマディスプレイパネル。
【請求項２０】  請求項１９記載の面放電型プラズマディスプレイパネルであって、  前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも細くなることを特徴とする、
面放電型プラズマディスプレイパネル。
【請求項２１】  請求項１９記載の面放電型プラズマディスプレイパネルであって、  前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも太くなることを特徴とする、
面放電型プラズマディスプレイパネル。
【請求項２２】  請求項１ないし３のいずれかに記載の面放電型プラズマディスプレイ装置であって、
前記いずれか１つの発光色に関する第１単位発光領域と前記他の発光色の１つに関する第２単位発光領域とが前記第１方向に関して互いに隣接しており、
前記第１単位発光領域を規定する隔壁同士の離間間隔が前記第２単位発光領域を規定する隔壁同士の離間間隔よりも広く、
前記第１単位発光領域を規定する前記隔壁同士の内で前記第２単位発光領域を規定する前記隔壁同士の一方にも該当する隔壁の前記第１単位発光領域側の一方の側面中、前記第１基板の前記内面に近接する部分における第１蛍光体の被覆厚みは、当該隔壁の前記第２単位発光領域側の他方の側面中、前記第１基板の前記内面に近接する部分における第２蛍光体の被覆厚みよりも小さいことを特徴とする、
面放電型プラズマディスプレイ装置。
【請求項２３】  請求項５ないし７のいずれかに記載の面放電型プラズマディスプレイパネルであって、
前記いずれか１つの発光色に関する第１単位発光領域と前記他の発光色の１つに関する第２単位発光領域とが前記第１方向に関して互いに隣接しており、
前記第１単位発光領域を規定する隔壁同士の離間間隔が前記第２単位発光領域を規定する隔壁同士の離間間隔よりも広く、
前記第１単位発光領域を規定する前記隔壁同士の内で前記第２単位発光領域を規定する前記隔壁同士の一方にも該当する隔壁の前記第１単位発光領域側の一方の側面中、前記第１基板の前記内面に近接する部分における第１蛍光体の被覆厚みは、当該隔壁の前記第２単位発光領域側の他方の側面中、前記第１基板の前記内面に近接する部分における第２蛍光体の被覆厚みよりも小さいことを特徴とする、
面放電型プラズマディスプレイパネル。
【請求項２４】  請求項１ないし３のいずれかに記載の面放電型プラズマディスプレイ装置であって、
前記複数のアドレス電極の内で、前記各発光色の内のいずれか一つの発光色の単位発光領域に対応するアドレス電極の前記第１方向の幅は、前記他の発光色に対応するアドレス電極の前記第１方向の幅と略同一であることを特徴とする、
面放電型プラズマディスプレイ装置。
【請求項２５】  請求項５ないし７のいずれかに記載の面放電型プラズマディスプレイパネルであって、
前記複数のアドレス電極の内で、前記各発光色の内のいずれか一つの発光色の単位発光領域に対応するアドレス電極の前記第１方向の幅は、前記他の発光色に対応するアドレス電極の前記第１方向の幅と略同一であることを特徴とする、
面放電型プラズマディスプレイパネル。
【請求項２６】  第１基板と、
前記第１基板の内面上に第１方向に形成された表示電極群と、
前記第１方向と交差する第２方向に形成されたアドレス電極群を有し、前記第１基板と共に、複数の画素がそれぞれ、赤、青および緑の各発光色に対応する単位発光領域より構成されるように放電空間を挟む第２基板と、
前記アドレス電極群に含まれる各アドレス電極に対応した放電空間に面した前記第２基板の内面部分上に各アドレス電極毎に設けられ且つ各アドレス電極に対応した色種の光を発光可能な複数の蛍光体領域とを備え、
前記各発光色の加色によって実現される色温度が６５００Ｋ以上となるように、前記各発光色の発光領域の実質的な面積が前記各発光色毎に異なっていることを特徴とする、
面放電型プラズマディスプレイパネル。
【請求項２７】  請求項２６記載の面放電型プラズマディスプレイパネルであって、 前記青色の単位発光領域の実質的な面積が前記赤色及び緑色のそれらよりも大きいことを特徴とする、
面放電型プラズマディスプレイパネル。
【請求項２８】  基板と、
前記基板の表面上に第１方向に離間して形成され、且つその各々は前記第１方向と交差する第２方向に互いに平行に延在された複数の隔壁と、
その各々が、前記複数の隔壁の内の隣り合う隔壁同士の互いに対向し合う側面上及び当該隣り合う隔壁同士で挟まれた前記基板の前記表面の部分上に形成されており、その各々は赤、青および緑の各発光色の内のいずれかの色種の光を発光可能である蛍光体とを備え、
前記複数の隔壁間に、複数の画素が、前記各発光色に対応する単位発光領域より構成され、
前記各発光色の加色によって実現される色温度が６５００Ｋ以上となるように、前記各発光色の蛍光体の各々が付着している部分の実質的な面積は、発光色種毎に異なっていることを特徴とする、
面放電型プラズマディスプレイパネル用基板。
【発明の詳細な説明】
【０００１】
【発明の属する技術分野】
この発明は、プラズマディスプレイ装置およびプラズマディスプレイパネルに関し、特に色温度が高い画像表示に好適なプラズマディスプレイ装置およびプラズマディスプレイパネルに関するものである。
【０００２】
【従来の技術】
図２９は、例えば特開平５−３０７９３５号公報に示されたプラズマディスプレイ装置を示すブロック図である。図２９において、１００はプラズマディスプレイ装置、１は表示放電をその離間する部分において行わせるための表示電極ＥＸおよびＥＹ（以下、それぞれＸ電極ＥＸおよびＹ電極ＥＹと称す）、アドレス電極（以下、Ａ電極と称す）の各電極を含むプラズマディスプレイパネル（以下、ＰＤＰと称す）、１１０はスキャン制御部、１２０は入力信号をアナログ／デジタル変換するためのＡ／Ｄ変換器（以下、Ａ／Ｄと称す）、１３０はＡ／Ｄ１２０の出力を蓄えるフレームメモリ、１４１はＰＤＰ１のＸ電極ＥＸに駆動信号を与えるためのＸ電極駆動回路、１４２はＰＤＰ１のＹ電極ＥＹに駆動信号を与えるためのＹ電極駆動回路、１４３はＰＤＰ１のＡ電極に駆動信号を与えるためのＡ電極駆動回路であり、２はＸ電極駆動回路１４１、Ｙ電極駆動回路１４２およびＡ電極駆動回路１４３を含む駆動制御系である。
【０００３】
次に、プラズマディスプレイ装置１００の駆動方法について説明する。
【０００４】
図３０は、例えば特開平７−１６０２１８号公報に記載された印加電圧波形の一例を示すタイミングチャートであり、サブフィールド階調法における１サブフィールドの期間を表している。
【０００５】
図３０において、ｎｌは走査パルス、ｎ２はアドレスパルス、ｎ３は維持パルス、ｎ４はプライミングパルス（全面書込パルス）である。
【０００６】
１サブフィールドは、(1)壁電荷を消去するためのリセット期間と、(2)表示発光を行わせるセルに対して壁電荷を蓄積させるためのアドレス期間と、(3)アドレス期間内に壁電荷を蓄積したセルに維持放電を生じさせて、表示発光を行うための維持放電期間とに分けられる。
【０００７】
この内、リセット期間では、維持電極ＥＸに全面書込パルスｎ４を印加して、全セルに放電を生じさせる。この全面書込パルスｎ４は、プライミングパルスと呼ばれる場合もある。次に全面書込パルスｎ４の立ち下がりで全セルに対して自己消去放電を生起させ、壁電荷の消去を行う。
【０００８】
続くアドレス期間においては、各Ｙ電極ＥＹ１〜ＥＹｎに走査パルスｎ１を順次印加するとともに、各Ａ電極２２ｊにアドレスパルスｎ２を印加することにより、表示期間において表示点灯させるべきセルにアドレス放電を生起し、当該セルの保護層１８の表面に壁電荷を蓄積する。
【０００９】
次に維持放電期間において、Ｙ電極ＥＹｉ（ｉ：１〜ｎ）とＸ電極ＥＸとに交互に維持パルスｎ３を印加することにより、アドレス放電が生じたセルについてのみ、維持放電を生じさせる。
【００１０】
また、図３１は、例えば特開平５−２９９０１９号公報に示された従来のＰＤＰ１の構造を示す斜視図であり、図３１において１１は前面基板である第１基板、１７は以下に述べるＸ電極ＥＸおよびＹ電極ＥＹを覆う誘電体層、１８は誘電体層１７の表面を覆う、例えばＭｇＯによって構成される保護層、２２はＡ電極、２１は背面基板である第２基板、２８はＡ電極２２に沿って途中で途切れることのないストライプ状に形成された蛍光体、２９は第２基板２１側に設けられた隔壁、３０は放電空間、４１はネサ膜などで構成された帯状透明導電膜（以下、透明電極と称す）であり、Ｘ電極ＥＸおよびＹ電極ＥＹを構成するために所定の間隔（放電ギャップ）をおいて互いに平行に配置されている。また、４２は透明電極４１の導電性を補うためのＣｒ−Ｃｕ−Ｃｒ、あるいはＣｒ−Ａｌ−Ｃｒなどの多層膜で構成された帯状金属膜（以下、金属電極と称す）であり、Ｘ電極ＥＸおよびＹ電極ＥＹは、透明電極４１およびそれに付加的に設けられた金属電極４２によってそれぞれ構成されている。ＥＧは画素でありカラー表示装置の場合には複数色の発光を行う単位発光領域ＥＵより構成される。Ｓは表示面である。
【００１１】
次に、従来のプラズマディスプレイ装置の動作について説明する。プラズマディスプレイ装置１００は、ＰＤＰ１とその駆動のためにフレキシブルプリント配線板を介してＰＤＰ１と電気的に接続された駆動制御系２とから構成されている。駆動制御系２内では、入力信号がＡ／Ｄ１２０によってアナログデジタル変換され、このＡ／Ｄ１２０からのデジタル出力を蓄えるフレームメモリ１３０に蓄えられたデジタル画像信号に対応して、スキャン制御部１１０からの出力がＸ電極駆動回路１４１、Ｙ電極駆動回路１４２およびＡ電極駆動回路１４３のそれぞれに与えられ、ＰＤＰ１の駆動が行なわれる。
【００１２】
ここに、ＰＤＰ１は一対の表示電極であるＸ電極ＥＸおよびＹ電極ＥＹとＡ電極とが単位発光領域ＥＵに対応付けられた３電極構造の面放電型ＰＤＰであり、Ｘ電極ＥＸおよびＹ電極ＥＹは、共に透明電極４１と金属電極４２とから構成され、表示面Ｓ側の第１基板１１の内面に配置されている。一方、第２基板２１上には、隔壁２９が設けられており、この隔壁２９によって放電空間３０の高さが規定され、放電空間３０がＸ電極ＥＸおよびＹ電極ＥＹの延長方向（以下、第１の方向と称す）に沿って単位発光領域ＥＵに区画されている。
【００１３】
並列された隔壁２９、２９の間には、銀ペーストのパターン印刷および焼成による所定幅のＡ電極が配置されており、隔壁２９の側面部およびＡ電極２２の表面を含む第２基板２１上を覆いストライプ状に蛍光体２８が設けられており、画素ＥＧは赤（Ｒ）、緑（Ｇ）および青（Ｂ）の各発光色に対応する３つのほぼ等しい長方形状をなす単位発光領域ＥＵ（２８Ｒ），ＥＵ（２８Ｇ），ＥＵ（２８Ｂ）（単位発光領域ＥＵと総称する）によって、ほぼ正方形に形成されている。すなわち、画素ＥＧにおける各単位発光領域ＥＵの第１方向Ｄ１における各幅はほぼ等しく、各発光色の単位発光領域ＥＵは第１の方向Ｄ１に１／３の幅を有して設けられている。
【００１４】
また、ＰＤＰ１における第１基板１１からの外光入射によって画面のコントラストが低下するのを防止するため、第１基板１１上のＸ電極ＥＸおよびＹ電極ＥＹの対の間に黒色の低融点ガラスの層（ブラックストライプ）を設ける場合もある。
【００１５】
図３２は、表示面Ｓ側よりみた各蛍光体の配列を示す模式図であり、カラーのプラズマディスプレイ装置では、図３２にも示されるように、基本的に画素ＥＧに赤（Ｒ）、緑（Ｇ）および青（Ｂ）の３原色に対応するように赤色の蛍光体２８Ｒ、緑色の蛍光体２８Ｇ、青色の蛍光体２８Ｂ（符号のアルファベットは発光色に対応するものであり、上述の蛍光体２８とはこれら３色の蛍光体の総称である）を有する単位発光領域ＥＵによって構成され、それぞれの原色に対応する単位発光領域ＥＵから発光する色光の加色によって色再現がなされている。なお、上述の赤色の蛍光体２８Ｒとしては例えば（Ｙ，Ｇｄ）ＢＯ3：Ｅｕ3+からなり
、緑色の蛍光体２８Ｇとしては例えばＺｎ2ＳｉＯ4：Ｍｎからなり、青色の蛍光体２８Ｂとしては例えばＢａＭｇＡｌ14Ｏ23：Ｅｕ2+からなる。
【００１６】
なお、それぞれの原色に対応する単位発光領域ＥＵからの発光は、それぞれ同じ条件で同時に発光（励起）したときに、３色の混合色が白色となるように蛍光体の材料組成が選定され、通常における白色の色温度は６０００Ｋ程度（多少赤みを帯びている白色）が実現されている。
【００１７】
【発明が解決しようとする課題】
従来のプラズマディスプレイパネルは、以上のように構成されているので、以下に述べるような問題点がある。
【００１８】
すなわち、いわゆる色温度の高い白色表示、例えば９３００Ｋのような、どちらかといえば青みを帯びた白色のような色温度の高い画像を得ようとすると青色の発光度合いを高める必要がある（緑色の発光強度と同程度必要）が、従来の装置においては図３２に示したように、青色の発光を行う領域の大きさが、他の赤色、緑色の発光領域の大きさと同程度であって、蛍光体の特性により相対的に青色の発光強度が低くなっていたため、色温度の低い表示とならざるを得なかった。
【００１９】
そして、青色の発光強度を相対的に高めることを目的に、青色の階調数を赤色および緑色の階調数よりも大きくしたり、あるいは赤色および緑色の階調を青色の階調に比して落とすことが考えられるが、赤色および緑色の階調を今までのものより減じてしまう（例えばそれぞれ２５６階調であったものを、青色は２５６階調、赤色と緑色は１２８階調とする）と、赤色および緑色の階調表現を狭めることになり、良好なカラー画像表示が行えなくなる。また、青色の発光量を大きくするために赤色および緑色の蛍光体に比して青色の蛍光体に照射される紫外光の照射量を増やすと、青色の蛍光体の劣化が赤色および緑色の蛍光体の劣化の程度に比べて大きくなってしまう。
【００２０】
本発明は、上述のような問題点に鑑み、例えば色温度が９３００Ｋといった色温度の高い白色表示を、蛍光体の劣化の増大をもたらすこと無く、しかも、赤色および緑色の階調を犠牲にすることなく実現できるプラズマディスプレイパネルおよびプラズマディスプレイ装置を提供することを目的とする。
【００２１】
【課題を解決するための手段】
請求項１に係る発明は、第１基板と、前記第１基板の内面上に第１の方向に形成された複数対の表示電極と、前記第１の方向と交差する第２の方向に形成された複数のアドレス電極を有し、前記第１基板と共に、複数の画素がそれぞれ、赤、青および緑の各発光色に対応する単位発光領域より構成されるように放電空間を挟む第２基板と、前記各発光色が発光可能なように前記複数のアドレス電極の各々に対応して設けられた前記各発光色の蛍光体と、前記第２基板上に前記第２の方向に延在して設けられ、前記各発光色の加色によって実現される色温度が６５００Ｋ以上となるように、少なくとも前記各発光色の内のいずれか一つの発光色に対応する実質的な離間間隔が他の発光色に対応する離間間隔と異なるように前記第１の方向に離間し、前記各発光色の蛍光体の各々がその側面に付着してなる複数の隔壁と、を含む面放電型プラズマディスプレイパネルと、前記面放電型プラズマディスプレイパネルを駆動するための、前記面放電型プラズマディスプレイパネルの前記複数対の表示電極の各対を構成する電極それぞれに接続された表示電極駆動回路と、前記面放電型プラズマディスプレイパネルの前記複数のアドレス電極に接続されたアドレス電極駆動回路と、前記表示電極駆動回路および前記アドレス電極駆動回路のそれぞれを制御するための制御部とを、含む駆動制御部と、を備えることを特徴とする。
【００２２】
請求項２に係る発明は、前記いずれか一つの発光色が青色であることを特徴とする。
【００２３】
請求項３に係る発明は、前記各発光色の内のいずれか一つの発光色に対応する実質的な隔壁の離間間隔が、前記複数の画素におけるいずれか一つの画素の前記第１方向に関する幅の１／３よりも大きいことを特徴とする。
【００２４】
請求項４に係る発明は、前記複数の発光色の加色によって実現される色温度が約９３００Ｋ以上であることを特徴とする。
【００２５】
請求項５に係る発明は、第１基板と、前記第１基板の内面上に第１の方向に形成された複数対の表示電極と、前記第１の方向と交差する第２の方向に形成された複数のアドレス電極を有し、前記第１基板と共に、複数の画素が、赤、青および緑の各発光色に対応する単位発光領域より構成されるように放電空間を挟む第２基板と、前記各発光色が発光可能なように前記複数のアドレス電極の各々に対応して設けられた複数の蛍光体と、前記第２基板上に前記第２の方向に延在して設けられ、前記各発光色の加色によって実現される色温度が６５００Ｋ以上となるように、少なくとも前記複数の発光色の内のいずれか一つの発光色に対応する実質的な離間間隔が他の発光色に対応する離間間隔と異なるように前記第１の方向に離間し、前記各発光色の蛍光体の各々がその側面に付着してなる複数の隔壁と、を含む面放電型プラズマディスプレイパネル。
【００２６】
請求項６に係る発明は、前記いずれか一つの発光色が青色であることを特徴とする。
【００２７】
請求項７に係る発明は、前記各発光色の内のいずれか一つの発光色に対応する実質的な隔壁の離間間隔が、前記複数の画素におけるいずれか一つの画素の前記第１方向における幅の１／３よりも大きいことを特徴とする。
【００２８】
請求項８に係る発明は、前記各発光色の加色によって実現される色温度が約９３００Ｋ以上であることを特徴とする。
【００２９】
請求項９に係る発明は、請求項１ないし４のいずれかに記載の面放電型プラズマディスプレイ装置であって、前記第１基板及び前記第２基板の内で前記面放電型プラズマディスプレイパネルの表示面側基板に該当する基板の前方側に配置され、可視発光波長領域において各波長に対して透過率が略均一なスペクトルを有するフィルターを更に備えたことを特徴とする。
【００３０】
請求項１０に係る発明は、請求項１ないし４のいずれかに記載の面放電型プラズマディスプレイ装置であって、前記第１基板及び前記第２基板の内で前記面放電型プラズマディスプレイパネルの表示面側基板に該当する基板は、可視発光波長領域において各波長に対して透過率が略均一なスペクトルを有する様に着色されていることを特徴とする。
【００３１】
請求項１１に係る発明は、請求項５ないし８のいずれかに記載の面放電型プラズマディスプレイパネルであって、前記第１基板及び前記第２基板の内で前記面放電型プラズマディスプレイパネルの表示面側基板に該当する基板は、可視発光波長領域において各波長に対して透過率が略均一なスペクトルを有する様に着色されていることを特徴とする。
【００３２】
請求項１２に係る発明は、請求項２記載の面放電型プラズマディスプレイ装置であって、前記第１基板の前記内面上に形成され、且つ、前記複数の表示電極を被覆する誘電体層と、前記誘電体層の内部であって、前記青色の発光色のセルに対応する位置に配設され、且つ、青色光の波長についての透過率が赤色光の波長についての透過率よりも高いスペクトルを有するフィルターとを更に備えたことを特徴とする。
【００３３】
請求項１３に係る発明は、請求項６記載の面放電型プラズマディスプレイパネルであって、前記第１基板の前記内面上に形成され、且つ、前記複数の表示電極を被覆する誘電体層と、前記誘電体層の内部であって、前記青色の発光色のセルに対応する位置に配設され、且つ、青色光の波長についての透過率が赤色光の波長についての透過率よりも高いスペクトルを有するフィルターとを更に備えたことを特徴とする。
【００３４】
請求項１４に係る発明は、請求項３記載の面放電型プラズマディスプレイ装置であって、前記複数のアドレス電極の各々の内で外部と接続される端子部を除く部分は、それぞれ前記複数の隔壁の内で当該アドレス電極に対応する隣り合う隔壁間の略中央に位置するように配設されており、前記複数のアドレス電極の各々の前記端子部は、等しい間隔で順次に配列するように前記第２基板の端部上に形成されていることを特徴とする。
【００３５】
請求項１５に係る発明は、請求項７記載の面放電型プラズマディスプレイパネルであって、前記複数のアドレス電極の各々の内で外部と接続される端子部を除く部分は、それぞれ前記複数の隔壁の内で当該アドレス電極に対応する隣り合う隔壁間の略中央に位置するように配設されており、前記複数のアドレス電極の各々の前記端子部は、等しい間隔で順次に配列するように前記第２基板の端部上に形成されていることを特徴とする。
【００３６】
請求項１６に係る発明は、請求項１ないし３のいずれかに記載の面放電型プラズマディスプレイ装置であって、前記複数のアドレス電極の内で、前記複数の発光色の内のいずれか一つの発光色の単位発光領域に対応するアドレス電極の前記第１方向の幅は、前記他の発光色に対応するアドレス電極の前記第１方向の幅と対比して異なっていることを特徴とする。
【００３７】
請求項１７に係る発明は、請求項１６記載の面放電型プラズマディスプレイ装置であって、前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも細くなることを特徴とする。
【００３８】  
請求項１８に係る発明は、請求項１６に記載の面放電型プラズマディスプレイ装置であって、前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも太くなることを特徴とする。
【００３９】
請求項１９に係る発明は、請求項５ないし７のいずれかに記載の面放電型プラズマディスプレイパネルであって、前記複数のアドレス電極の内で、前記各発光色の内のいずれか一つの発光色の単位発光領域に対応するアドレス電極の前記第１方向の幅は、前記他の発光色に対応するアドレス電極の前記第１方向の幅と対比して異なっていることを特徴とする。
【００４０】
請求項２０に係る発明は、請求項１９記載の面放電型プラズマディスプレイパネルであって、前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも細くなることを特徴とする。
【００４１】
請求項２１に係る発明は、請求項１９記載の面放電型プラズマディスプレイパネルであって、前記いずれか１つの発光色の前記アドレス電極の前記幅は、前記いずれか１つの発光色の前記単位発光領域を規定する隔壁同士に関する前記実質的な離間間隔が広くなるにつれて、前記他の発光色の前記アドレス電極の前記幅よりも太くなることを特徴とする。
【００４２】
請求項２２に係る発明は、請求項１ないし３のいずれかに記載の面放電型プラズマディスプレイ装置であって、前記いずれか１つの発光色に関する第１単位発光領域と前記他の発光色の１つに関する第２単位発光領域とが前記第１方向に関して互いに隣接しており、前記第１単位発光領域を規定する隔壁同士の離間間隔が前記第２単位発光領域を規定する隔壁同士の離間間隔よりも広く、前記第１単位発光領域を規定する前記隔壁同士の内で前記第２単位発光領域を規定する前記隔壁同士の一方にも該当する隔壁の前記第１単位発光領域側の一方の側面中、前記第１基板の前記内面に近接する部分における第１蛍光体の被覆厚みは、当該隔壁の前記第２単位発光領域側の他方の側面中、前記第１基板の前記内面に近接する部分における第２蛍光体の被覆厚みよりも小さいことを特徴とする。
【００４３】
請求項２３に係る発明は、請求項５ないし７のいずれかに記載の面放電型プラズマディスプレイパネルであって、前記いずれか１つの発光色に関する第１単位発光領域と前記他の発光色の１つに関する第２単位発光領域とが前記第１方向に関して互いに隣接しており、前記第１単位発光領域を規定する隔壁同士の離間間隔が前記第２単位発光領域を規定する隔壁同士の離間間隔よりも広く、前記第１単位発光領域を規定する前記隔壁同士の内で前記第２単位発光領域を規定する前記隔壁同士の一方にも該当する隔壁の前記第１単位発光領域側の一方の側面中、前記第１基板の前記内面に近接する部分における第１蛍光体の被覆厚みは、当該隔壁の前記第２単位発光領域側の他方の側面中、前記第１基板の前記内面に近接する部分における第２蛍光体の被覆厚みよりも小さいことを特徴とする。
【００４４】
請求項２４に係る発明は、請求項１ないし３のいずれかに記載の面放電型プラズマディスプレイ装置であって、前記複数のアドレス電極の内で、前記複数の発光色の内のいずれか一つの発光色の単位発光領域に対応するアドレス電極の前記第１方向の幅は、前記他の発光色に対応するアドレス電極の前記第１方向の幅と略同一であることを特徴とする。
【００４５】
請求項２５に係る発明は、請求項５ないし７のいずれかに記載の面放電型プラズマディスプレイパネルであって、前記各アドレス電極の内で、前記複数の発光色の内のいずれか一つの発光色の単位発光領域に対応するアドレス電極の前記第１方向の幅は、前記他の発光色に対応するアドレス電極の前記第１方向の幅と略同一であることを特徴とする。
【００４６】
請求項２６に係る発明は、第１基板と、前記第１基板の内面上に第１方向に形成された表示電極群と、前記第１方向と交差する第２方向に形成されたアドレス電極群を有し、前記第１基板と共に、複数の画素がそれぞれ、赤、青および緑の各発光色に対応する単位発光領域より構成されるように放電空間を挟む第２基板と、前記アドレス電極群に含まれる各アドレス電極に対応した放電空間に面した前記第２基板の内面部分上に各アドレス電極毎に設けられ且つ各アドレス電極に対応した色種の光を発光可能な複数の蛍光体領域とを備え、前記各発光色の加色によって実現される色温度が６５００Ｋ以上となるように、前記各発光色の発光領域の実質的な面積が前記各発光色毎に異なっていることを特徴とする。
【００４７】
請求項２７に係る発明は、請求項２６記載の面放電型プラズマディスプレイパネルであって、前記青色の発光領域の実質的な面積が前記赤色及び前記緑色のそれらよりも大きいことを特徴とする。
【００４８】
請求項２８に係る発明は、基板と、前記基板の表面上に第１方向に離間して形成され、且つその各々は前記第１方向と交差する第２方向に互いに平行に延在された複数の隔壁と、その各々が、前記複数の隔壁の内の隣り合う隔壁同士の互いに対向し合う側面上及び当該隣り合う隔壁同士で挟まれた前記基板の前記表面の部分上に形成されており、その各々は赤、青および緑の各発光色の内のいずれかの色種の光を発光可能である蛍光体とを備え、前記複数の隔壁間に、複数の画素が、前記各発光色に対応する単位発光領域より構成され、前記各発光色の加色によって実現される色温度が６５００Ｋ以上となるように、前記各発光色の蛍光体の各々が付着している部分の実質的な面積は、発光色種毎に異なっていることを特徴とする。
【００４９】
【発明の実施の形態】
以下、本発明にかかわるＡＣ面放電型プラズマディスプレイパネルおよびそれを用いたＡＣ型プラズマディスプレイ装置を、各実施の形態を示す図面に基づき具体的に説明する。なお、以後の各図において、図２９〜図３２における符号と同一符号は従来のものと同一または相当のものを示す。
【００５０】
（実施の形態１）
図１は本発明に係わる面放電型プラズマディスプレイパネル（以下、ＰＤＰと称す）の要部断面構造を、説明の便宜上パネルを分解して示す斜視図であり、図１において１１は例えば透明なガラスよりなる前面基板である第１基板、１７は誘電体層、１８は例えばＭｇＯなどの保護層、２１は背面基板である第２基板、２２は書込電極又はＡ電極である。
【００５１】
３８Ｒは赤色（Ｒ）の光を発光する蛍光体、３８Ｂは青色（Ｂ）の光を発光する蛍光体、３８Ｇは緑（Ｇ）色の光を発光する蛍光体であり、赤色用の蛍光体３８Ｒ、青色用の蛍光体３８Ｂおよび緑色用の蛍光体３８Ｇを総称して蛍光体３８と称す。本実施の形態においては、後述するように、青色の蛍光体３８Ｂの第１の方向Ｄ１における幅が、赤色の蛍光体３８Ｒおよび緑色の蛍光体３８Ｇの第１方向Ｄ１における幅よりも広く形成されている点に特徴がある。なお、上述の赤色の蛍光体２８Ｒとしては例えば（Ｙ，Ｇｄ）ＢＯ3：Ｅｕ3+からなり、緑色の
蛍光体２８Ｇとしては例えばＺｎ2ＳｉＯ4：Ｍｎからなり、青色の蛍光体２８Ｂとしては例えばＢａＭｇＡｌ14Ｏ23：Ｅｕ2+、ＢａＭｇＡｌ10Ｏ17：Ｅｕ2+などからなる。
【００５２】
また、ここでは、上述した各Ａ電極２２の第１方向Ｄ１における幅を、各色の蛍光体３８の第１方向Ｄ１における幅に関わらず、同程度の幅としている。即ち、全てのＡ電極２２の幅を互いに同程度の寸法とすることにより、Ａ電極２２を例えばスクリーン印刷により形成する場合においても、各Ａ電極２２に対する印刷条件を同一とすることが可能となり、Ａ電極２２の形成時に、断線や電極の太り又は細り等が発生しにくいという利点が得られる。
【００５３】
２９は隔壁、３０は放電空間、４１は透明電極、４２は金属電極（バス電極）、ＥＧは画素であり、１画素ＥＧは、赤（Ｒ）、青（Ｂ）および緑（Ｇ）の各色に対応する単位発光領域ＥＵ（３８Ｒ），ＥＵ（３８Ｂ），ＥＵ（３８Ｇ）より構成される。尚、各色の単位発光領域ＥＵ（３８Ｒ），ＥＵ（３８Ｂ），ＥＵ（３８Ｇ）を単位発光領域ＥＵと総称する。
【００５４】
Ｓは表示面、ＥＸおよびＥＹは第１基板１１の内面上に互いに並行に所定の間隔を有して配置され、その間に表示放電を発生する第１の方向Ｄ１に延在するＸ電極ＥＸおよびＹ電極ＥＹであり、このＸ電極ＥＸおよびＹ電極ＥＹは共に透明電極４１および金属電極４２より構成される。
【００５５】
以下、ＰＤＰ１のパネル構造と放電の状態について述べるが、ＰＤＰ１の駆動のための構成については、従来と同様のものを用いることができるため、図２９を援用することとして、その動作について説明する。
【００５６】
プラズマディスプレイ装置１００は、ＰＤＰ１と、その駆動のためにフレキシブルプリント配線板（以下、ＦＰＣ板と称す）を介してＰＤＰ１と電気的に接続された駆動制御系２とから構成されている。
【００５７】
駆動制御系２内では、入力信号がＡ／Ｄ１２０によってアナログデジタル変換され、このＡ／Ｄ１２０からのデジタル出力を蓄えるフレームメモリ１３０に蓄えられたデジタル画像信号に対応して、スキャン制御部１１０からの出力がＸ電極駆動回路１４１、Ｙ電極駆動回路１４２およびＡ電極駆動回路１４３のそれぞれに与えられ、ＰＤＰ１の駆動が行なわれる。
【００５８】
尚、本実施の形態１に係るＰＤＰ１を有するプラズマディスプレイ装置（以下、ＰＤＰ装置とも称す）の駆動を行うための駆動波形としては、従来の技術において図３０を用いて説明した駆動波形を用いることができることは勿論、その他の種々の駆動波形を用いることが可能である。
【００５９】
ＰＤＰ１は一対の表示電極であるＸ電極ＥＸおよびＹ電極ＥＹとＡ電極２２とが単位発光領域ＥＵに対応付けられた３電極構造の面放電型ＰＤＰであり、Ｘ電極ＥＸおよびＹ電極ＥＹは共に透明電極４１と金属電極４２とから構成され、且つ表示面Ｓ側の第１基板１１の内面上に配置されている。
【００６０】
Ｘ電極ＥＸおよびＹ電極ＥＹを被覆する誘電体層１７の上には、放電の際に発生するイオンの衝突に起因する誘電体層１７の劣化を防止し、放電の際の電子放射を円滑に行なわせて放電を安定化するための保護層１８が設けられている。
【００６１】
一方、第２基板２１上には、第１の方向Ｄ１に直交する第２の方向Ｄ２に延び、その頂部が保護層１８に当接する隔壁２９が形成されている。なお、放電空間３０は、ほぼ、隔壁２９の各対向する内側面、第１基板１１内面および第２基板２１の内面によって規定される。従って、図２に表した、表示面Ｓからみた画素ＥＧ（ほぼ、正方形）および単位発光領域ＥＵの各配置関係に示されるように、放電空間３０は各単位発光領域ＥＵ（ほぼ、長方形）に区画され、ここでは赤（Ｒ）、緑（Ｇ）および青（Ｂ）の３色に対応する各単位発光領域ＥＵ（３８Ｒ），ＥＵ（３８Ｂ），ＥＵ（３８Ｇ）の組によってほぼ正方形である１つの画素ＥＧを構成している。また、青色の単位発光領域ＥＵ（３８Ｂ）の第１の方向Ｄ１における幅が、赤色の単位発光領域ＥＵ（３８Ｒ）および緑色の単位発光領域ＥＵ（３８Ｇ）の第１方向Ｄ１における幅よりも広くなっている。
【００６２】
図１において、第１方向Ｄ１に向かって並列された隔壁２９、２９の間には、銀ペーストのパターン印刷および焼成による所定幅のＡ電極２２が配置されており、隔壁２９、２９の内の各頂部およびその近傍を除いて、隔壁２９、２９の各対向する内側面、第２基板２１の内面上およびＡ電極２２上を覆い尽くすように略Ｕ字形の蛍光体３８が設けられている。
【００６３】
以下、本実施の形態の特徴である、青色の単位発光領域ＥＵ（３８Ｂ）の第１の方向Ｄ１における幅が、赤色の単位発光領域ＥＵ（３８Ｒ）および緑色の単位発光領域ＥＵ（３８Ｇ）のそれらよりも広く形成されることについての説明を行う。
【００６４】
図３に蛍光体３８と表示面Ｓ側から見た表示面Ｓ直後の輝度分布との関係を模式的に示す。蛍光体３８より生じる蛍光の輝度分布は、おおよそ以下のようになると考えられる。紫外線が蛍光体３８に入射することによって蛍光が発生する際、図３中に示すように、隔壁２９、２９付近の蛍光体３８からの蛍光の輝度成分と、Ａ電極２２上の蛍光体３８を含む第２基板２１上の蛍光体３８から放射される光の輝度成分とに分けて考えることができる。
【００６５】
すなわち、隔壁２９の上部側においては蛍光体３８の膜厚が薄いために輝度が低い（図３中、符号ａの部分に相当）。また、隔壁２９の下部側においては隔壁２９の下部に付着する蛍光体３８と隔壁２９の下部近傍の第２基板２１の表面（内面）上に付着する蛍光体３８とから共に発光が生じ、さらにそれぞれの部分において生じた発光がそれぞれの蛍光体３８、３８に反射（相互反射）することになるため、やや高い輝度を示す（図３中、符号ｂの部分に相当）。隔壁２９から離れた（Ａ電極２２上方を含む）第２基板２１の表面上方においては、ほぼ一定の輝度を示す（図３中、符号ｃの部分に相当）。ここで隔壁２９、２９の間の間隔が広くなると、隔壁２９の付近における輝度（図３中、両符号ａおよびｂの部分に相当）はほとんど変化しないが、隔壁２９から離れた（Ａ電極２２上方を含む）第２基板２１の表面上方における輝度（図３中、符号ｃに相当）の部分が隔壁２９、２９の間隔に比例するように増大することになる。このため、表示面Ｓ方向への光度がほぼ隔壁２９、２９の間隔に略比例するものとして考えて良く、このことは以下に述べるように、蛍光体３８の面積を増大することと等価である。
【００６６】
従って、赤色および緑色の発光に比して青色の光度を大きくなるようにするには、第２基板２１およびＡ電極２２に付着する青色の蛍光体３８の面積を増加すれば良いことになる。
【００６７】
また、画素ＥＧの形状がほぼ正方形であり、この画素ＥＧが各々長方形状をなす３つの単位発光領域より構成されているから、第１の方向Ｄ１に沿う青色の蛍光体３８Ｂの幅（青色の単位発光領域ＥＵ（３８Ｂ）の第１の方向Ｄ１における幅に等しい）を変化させると、単位発光領域ＥＵ（３８Ｂ）の面積も比例して変化することになる。よって、青色の蛍光体３８Ｂの幅の変化が表示面Ｓに向かう光度の変化とほぼ比例することがいえる。
【００６８】
図４は、第２基板２１と、その内面上に形成される隔壁２９とを、第２の方向Ｄ２に垂直な面で切断したときの断面形状の例を示した模式図である。
【００６９】
図中イ）は、その断面形状が長方形に形成された隔壁２９の例。
【００７０】
図中ロ）は、その断面形状が逆Ｕ字状に形成された隔壁２９の例。
【００７１】
図中ハ）は、その断面形状がΩ字状に形成された隔壁２９の例。
【００７２】
図中ニ）は、その断面形状が台形状に形成された隔壁２９の例。
【００７３】
これら、イ）〜ニ）の各例に示すように、基本的には隣り合う隔壁２９、２９の底部間の最大の間隔（離間間隔）を蛍光体３８の幅δとみなし、以下では、ほぼ正方形の画素ＥＧにおいて、蛍光体３８の幅に着目して説明を行うこととする。
【００７４】
図５は、ＰＤＰ１の要部構造の断面図であり、図５（Ａ）は本実施の形態に述べるＰＤＰ１に関わる要部構造の断面図を示すものである。
【００７５】
なお、図５（Ｂ）は図５（Ａ）との比較のために示した従来のＰＤＰにおける要部構造の断面図である。
【００７６】
カラー画像の表示に用いるＰＤＰにおいては、図５（Ａ）および図５（Ｂ）に示すように、３原色の発光色が得られるように、蛍光体３８、２８が３原色の発光を生じるように構成され、赤色の蛍光体３８Ｒ、２８Ｒ、緑色の蛍光体３８Ｇ、２８Ｇおよび青色の蛍光体３８Ｂ、２８Ｂを備えている。また、以下の説明では各色の第１の方向Ｄ１における幅を上述の赤色の蛍光体３８Ｒ、２８Ｒ、緑色の蛍光体３８Ｇ、２８Ｇおよび青色の蛍光体３８Ｂ、２８Ｂの各々の蛍光体に対応してδ（Ｒ）、δ（Ｇ）およびδ（Ｂ）として説明する。また、以下の説明においては蛍光体の種類をＺとするときの蛍光体の幅をδ（Ｚ）として表現する。
【００７７】
各単位発光領域ＥＵから表示面Ｓ側へ放出される光の強さは、隔壁２９、２９の内側面間の距離に略比例することを先に述べたが、図５（Ｂ）に示された従来のものでは、赤（Ｒ）、緑（Ｇ）および青（Ｂ）の各蛍光体の幅の比がδ（Ｒ）：δ（Ｇ）：δ（Ｂ）＝１：１：１であり、それぞれの原色に対応する単位発光領域ＥＵからの発光がそれぞれ同じ条件で同時に発光（励起）したときの赤（Ｒ）、緑（Ｇ）および青（Ｂ）の各蛍光体の輝度の比は約０．５１：１：０．２２である。ここで、赤（Ｒ）、緑（Ｇ）の輝度を固定とし、青（Ｂ）の輝度を変化させたときの色温度の値の変化を表１および図６に示す。          【００７８】
【表１】
1999306996.tif 000001
【００７９】
また、この青（Ｂ）の輝度比ａに対する色温度の値ｂを、２次曲線によって近似すると、おおよそ、
ｂ＝１０９４．６ａ2＋１１５．２２ａ＋４７９５．１  Ｋ（ケルビン）
となり、発明者らの検討によればａ＝２のときｂ＝９３００Ｋ程度（少し青みを帯びた白）となる。
【００８０】
従って、各単位発光領域ＥＵにおける輝度の大きさが単位発光領域ＥＵの面積に比例し、この場合においては、面積比が第１の方向Ｄ１における長さに比例することから、色温度を６０００Ｋから９３００Ｋに変化させるには、赤（Ｒ）および緑（Ｇ）の蛍光体の幅に対して青（Ｂ）の蛍光体の幅δ（Ｂ）を２倍あるいはその近傍にすれば良いことがわかる。
【００８１】
尚、輝度向上という観点からみた場合には、隔壁２９の第１方向Ｄ１の幅寸法は短ければ短い程良いとも言え、このような理想的な場合、即ち、隔壁２９の幅寸法が１画素ＥＧの第１方向Ｄ１の幅寸法からみて無視しうる程に小さくなった場合においては、青色の単位発光領域ＥＵ（３８Ｂ）を画する両隔壁２９の実質的な離間距離は、色温度が９３００Ｋのときには、１画素ＥＧの上記幅寸法の約１／２に該当しているとみなしうることになる。
【００８２】
以上述べたように構成することによって、所定の色温度の白色光を実現するのに赤色および緑色の階調を犠牲にすることなく、且つ蛍光体の劣化を増大させることなく、一般的に好まれる傾向にある、例えば９３００Ｋ程度の色温度を有する白色光を得ることができる。
【００８３】
もちろん、ここに示したように、色温度９３００Ｋを実現するのに、赤（Ｒ）、緑（Ｇ）および青（Ｂ）の各蛍光体の輝度の比を約０．５１：１：０．４４とするため、δ（Ｒ）：δ（Ｇ）：δ（Ｂ）＝１：１：２としたが、蛍光体材料の特性や種々の条件を勘案した上で所望の色温度を有する白色光を得るために、各々の条件に適合する各発光色に対応する幅δの比率を設定するようにしてもよい。
【００８４】
また、色温度は現状の例えば６０００Ｋの状態において青色の階調を落とした表示が行われてもよく、そのように構成すれば青色の蛍光体に照射される紫外線量を、従来のものの約半分とすることができるため、特に青色の蛍光体の寿命を延ばすことが可能で、長期的な色再現性に優れたＰＤＰを得ることができる。
【００８５】
（実施の形態２）
なお、上記実施の形態１においては、青（Ｂ）に対応する単位発光領域ＥＵが、赤（Ｒ）および緑（Ｇ）の単位発光領域ＥＵの幅に比して略２倍となるように構成したが、画素ＥＧが複数の青（Ｂ）領域を有して構成されていても良い。以下、画素ＥＧが複数の青（Ｂ）領域を有する場合について、後述する図を参照しながら説明する。
【００８６】
図７は、実施の形態２を説明するための、ＰＤＰ１の要部構造を示す斜視図であり、図において３８Ｂａ、３８Ｂｂは一つの画素ＥＧに設けられた青色の蛍光体が２つに分けられているそれぞれの領域を示し、それぞれの幅をδ（Ｂａ）、δ（Ｂｂ）とする。また、一つの画素ＥＧにおける蛍光体の並び方は図７中、第１の方向に沿う左から右に向かって、赤（Ｒ）青（Ｂａ）緑（Ｇ）青（Ｂｂ）である。
【００８７】
青色の蛍光体領域３８Ｂａ、３８Ｂｂは、例えば、上述の実施の形態１において説明したように、それぞれδ（Ｒ）またはδ（Ｇ）と同じ幅を有するような青色の蛍光体領域が２つ有るように構成する。このようにすれば、蛍光体の付着工程で同一のマスクパターンを用いることができる。
【００８８】
この場合、図８にも示すようにδ（Ｒ）：δ（Ｂａ）：δ（Ｇ）：δ（Ｂｂ）＝１：１：１：１となり、従って各単位発光領域ＥＵは画素ＥＧにおいて第１の方向に略４等分された幅を有する。また、画素ＥＧにおいてδ（Ｂａ）＋δ（Ｂｂ）が、青（Ｂ）の発光色に対する実質的な青（Ｂ）の発光色の幅になると考えても良く、δ（Ｂａ）＋δ（Ｂｂ）＝δ（Ｂ）と等価なものとなり、実質的にδ（Ｒ）：δ（Ｇ）：δ（Ｂ）＝１：１：２となる。この関係は実施の形態１において上述した色温度を達成する関係を満足する。
【００８９】
また、上述のように赤（Ｒ）青（Ｂａ）緑（Ｇ）青（Ｂｂ）のような蛍光体の配列にすることによって、さらに、以下に述べるような有利な面もある（以下、赤の蛍光体をＲ、青の蛍光体をＢａまたはＢｂ、緑の蛍光体をＧと表現し、一画素ＥＧに含まれる例えば赤の蛍光体、青の蛍光体、緑の蛍光体、青の蛍光体の一連の並び（配列）を、Ｒ−Ｂａ−Ｇ−Ｂｂのように表す）。なお、以下の各蛍光体の配列と輝度との関係を模式的に図９から図１４に示す。各図中点線によって囲まれる部分が画素ＥＧ、実線によって囲まれる部分が単位発光領域ＥＵを表しており、ＰＤＰ１における画面は複数の画素ＥＧより構成され、さらに画素ＥＧは、この場合４つの単位発光領域より構成される。
【００９０】
図９から図１４は、表示面Ｓ側よりみた各蛍光体の配列を示す模式図であり、以下図を参照しながら説明すると（以下の説明では〔〕でくくった部分は１画素ＥＧに含まれる各色に対応する単位発光領域ＥＵの配列を表す）、ＰＤＰ１の蛍光体の配列を一つの画素ＥＧにＧ−Ｂａ−Ｒ−Ｂｂの配色を一つの単位として、
イ）〔Ｇ−Ｂａ−Ｒ−Ｂｂ〕−〔Ｇ−Ｂａ・・・
・・・Ｒ−Ｂｂ〕−〔Ｇ−Ｂａ−Ｒ−Ｂｂ〕（図９参照）
ロ）〔Ｂａ−Ｒ−Ｂｂ−Ｇ〕−〔Ｂａ−Ｒ・・・
・・・Ｂｂ−Ｇ〕−〔Ｂａ−Ｒ−Ｂｂ−Ｇ〕（図１０参照）
のような配列とすると、イ）では図９に示した画面の左端、ロ）では図１０に示した画面の右端に緑（Ｇ）が配列されることとなり、もともと緑色は人間の目の比視感度が高い色（波長が５５０ｎｍ付近）であるため、例えば画面全体に白色の表示が行われる際、イ）の場合には画面の左端、ロ）の場合には画面の右端に高い輝度の緑色部分が存在するため、緑色の線（緑色の発色線）があるように感じられてしまう場合がある。
【００９１】
そこで、上述のイ）またはロ）に代えて、
ハ）〔Ｂａ−Ｒ−Ｇ−Ｂｂ〕−〔Ｂａ−Ｒ・・・
・・・Ｇ−Ｂｂ〕−〔Ｂａ−Ｒ−Ｇ−Ｂｂ〕（図１１参照）
ニ）〔Ｂａ−Ｇ−Ｒ−Ｂｂ〕−〔Ｂａ−Ｇ・・・
・・・Ｒ−Ｂｂ〕−〔Ｂａ−Ｇ−Ｒ−Ｂｂ〕（図１２参照）
のような配列、あるいは
ホ）〔Ｒ−Ｂａ−Ｇ−Ｂｂ〕−〔Ｒ−Ｂａ・・・
・・・Ｇ−Ｂｂ〕−〔Ｒ−Ｂａ−Ｇ−Ｂｂ〕（図１３参照）
ヘ）〔Ｂａ−Ｇ−Ｂｂ−Ｒ〕−〔Ｂａ−Ｇ・・・
・・・Ｂｂ−Ｒ〕−〔Ｂａ−Ｇ−Ｂｂ−Ｒ〕（図１４参照）
のような配列をとることが考えられるが、ハ）またはニ）の場合は、「・・・−Ｇ−Ｒ−・・・」または「・・・−Ｒ−Ｇ−・・・」というように比視感度の高い緑色、赤色が画素ＥＧの中央部に配置されており、その中央部に黄色がかった線（黄色の発色線）があるように感じられたり、隣り合う画素ＥＧの隣接部分において「・・・−Ｂｂ〕−〔Ｂａ−・・・」と配列されているので、青色部分が隣接する画素ＥＧにまたがって存在することになり、青色の線（青色の発色線）があるように感じられてしまう場合がある。
【００９２】
それに対して、ホ）またはヘ）の場合は、上記イ）〜ニ）に比して比視感度の高い緑色が画面の端部に存在することはなく、また、中央部に緑色および赤色が画素の中央部に偏在したり、隣接する画素間において同色領域が隣り合うことがないため、不自然な発色線がなく、画像表示を行う際に優れている。
【００９３】
以上説明したように、青色の単位発光領域ＥＵを一つの画素ＥＧに対して複数設けて構成することにより、簡単な構成で青色の発光を多くすることが可能で、赤色および緑色の階調を落とすことなく、画像表示の色再現が良好なＰＤＰを得ることができるとともに、さらに蛍光体の配列を考慮することによって不自然な発色線を感じることが無く、画素ＥＧ間における色の干渉の影響のない等の画像表示に好適なＰＤＰを得ることができる。
【００９４】
上述した構成では、色温度の高い画像を得ることができるが、現状の色温度の表示状態であって、２つある青色の単位発光領域ＥＵ（Ｂａ）またはＥＵ（Ｂｂ）のいずれか一方をもっぱら発光させ、所定の期間が経過した後に他方の青色の単位発光領域を引き続いて発光させる、あるいは青色の蛍光体の寿命を延ばすために、画像の１フレーム毎に単位発光領域ＥＵ（Ｂａ）、単位発光領域ＥＵ（Ｂｂ）を交互に発光させるように構成しても良い。このようにすることによって、それぞれの単位発光領域ＥＵ（Ｂａ）またはＥＵ（Ｂｂ）を構成する青色の蛍光体に照射される紫外線量を、従来のものの約半分とすることができるため、特に青色の蛍光体の寿命を延ばすことが可能で、長期的な色再現性に優れたＰＤＰを得ることができる。また、上述したものにおいては、画素ＥＧを略４等分した例について述べたが、必ずしもこれに限定されず、それ以上に分割されていてもよく、さらに必ずしも等分である必要もない。
【００９５】
（実施の形態３）
ＰＤＰ装置においては、室内の照明などの外光がパネル表面で反射して表示コントラストが低下することを防ぐために、ＰＤＰの表示面の前方に筐体の一部としてフィルターを設けることが一般的に多い。そこで、従来のＰＤＰ装置では、表示コントラスト低下防止用の上記フィルターに青色の透過率が高い、青みがかったフイルターを用いることで、色温度を高める工夫がなされている。このような効果は、表示側の第１基板自体を青みがかった着色ガラスとして構成することでも同じように実現される。
【００９６】
しかし、このような方法を用いるときには、赤表示、緑表示についても青フイルター又は着色ガラスの影響を受けて色が変わってしまい、純粋な赤色や緑色が得られなくなるという問題点を生じさせる。また、電源が切れた状態でのＰＤＰ装置の画面が青みがかって見えるため、非使用時においてＰＤＰ装置を設置している室内の装飾性を損なうという問題点も発生させる。
【００９７】
しかしながら、既述した実施の形態１および２の構造を持つＰＤＰを採用する場合には、このような問題点を発生させることなく、表示コントラスト低下防止用フィルターを実現することができる。この点に関する提案が、本実施の形態である。
【００９８】
即ち、実施の形態１および２の構造を持つＰＤＰ１は、青色の実質的な（単位）発光領域の面積が緑色及び赤色のそれらと比較して大きいことから、赤色及び緑色の強度に比べて相対的に青色発光の強度が高いという特性を有しており、同ＰＤＰ１では、そもそも白色の色温度が高い。そこで、図１５に示すように、ＰＤＰ１の表示面Ｓの前方に配置する表示コントラスト低下防止用フイルターとして、青色フィルターを用いるのではなくて、透過率の波長特性の無い、いわゆるＮＤ（neutral density）フイルター５１を用いることが可能である。このＮＤフィルター５１の色調は無彩色のグレーであるので、同フィルター５１を筐体５０の前面側に設けても一般に装飾性を損なうことが無い。しかも、同フィルター５１は表示発光の赤色、緑色に影響を与えず、且つ、実施の形態１又は２のＰＤＰ１を用いているので、色温度が高い良好な画像表示を実現することが出来る。
【００９９】
尚、図１５中の符号５２は、図２９に示す駆動制御系２を収納する部分であり、同部５２は前面パネル１Ｐ１と貼り合わされた背面パネル１Ｐ２側の筐体５０内の部分に配設される。
【０１００】
（変形例）
更に、本実施の形態の変形例として、第１基板１１をグレーに着色して、図１５のＮＤフィルター５１の代わりとしても良く、同一の効果が得られる。
【０１０１】
以上の通り、本実施の形態の第１の特徴点は、ＰＤＰ１の表示面Ｓの前方側に、可視発光波長領域において透過率が各波長に対して略均一なスペクトルをもつフィルター板（例えばＮＤフィルター５１）を配備した点にある。
【０１０２】
加えて、第２の特徴点は、ＰＤＰ１の表示面側の第１基板として、可視発光波長領域において透過率が各波長に対して略均一なスペクトルをもつ基板、例えば、グレーに着色されたガラス基板を用いた点にある。
【０１０３】
（実施の形態４）
ここでＰＤＰの３原色の色純度に注目すると、一般に次のような問題点がある。即ち、電極の摩耗による寿命を延ばすために、ＰＤＰの放電ガスにはＮｅが多く混合されている。そのため、Ｎｅ特有のオレンジ色の発光が各蛍光体からの表示光に混ざっており、このことが結果的に各放電セルの発光色の色純度を低下させている。
【０１０４】
そこで、この問題点を解決して各発光色の色純度を改善する方法として、第１基板上の赤色Ｒ、緑色Ｇ、青色Ｂに対応した位置に、所望の発光色に対応した透過スペクトルを有する内蔵フィルターを形成することが提案されている。しかし、この方法を用いる場合には、３種類のフイルター材料を高い位置精度で形成しなければならないため、工程数が多く且つ歩留まりも低下しやすく、一般に大きなコストを要する。
【０１０５】
そこで、次善の策として、Ｎｅ発光の影響を最も強く受ける青色にのみ着目して、青色の発光領域上にのみ上記の青色透過フイルターを形成することが考えられる。これによれば、工程が大幅に簡略化されてコストを低減することができる。しかし、青色透過フィルターといえども青色の光を完全に透過させることは困難であって、Ｎｅ発光を吸収させようとすると青色光自体もかなりの程度で吸収されてしまうことは避けられない。しかも、従来のＰＤＰ構造に対して上記の改善策を施しても、そもそも赤色、緑色に対して青色の発光が弱いことから、色純度は改善出来ても、白色表示での色温度はさらに低くなってしまうという問題点がある。
【０１０６】
これに対して、実施の形態１又は２のＰＤＰ１をＰＤＰとして採用するときは、そのような問題点を生じさせることなく、青色の発光色に対するＮｅ発光の影響を有効に除去することができる。この点を実現することが、本実施の形態の特徴点である。
【０１０７】
即ち、図１の構造を持つＰＤＰ１は、青色の実質的な（単位）発光領域の面積が赤色及び緑色のそれらよりも広いことから、赤色及び緑色に比べて相対的に青色発光の強度が高い特性を有している。そこで、図１６の（Ａ）及び（Ｂ）に示すように、第１基板１１の内面上に形成された誘電体１７の内部の内で青色の単位発光領域に対応した位置に、青色のフィルター５３を形成している。
【０１０８】
これにより、本ＰＤＰは、Ｎｅ発光の透過率を大きく低下させた場合であっても相対的に十分高い青色輝度を有することが出来る。すなわち、Ｎｅ発光による色純度低下の影響の小さい緑色及び赤色の発光色はＮｅ発光吸収用のフィルターを介することなくそのままパネルから放射される一方、青色の発光色については一旦上記フィルターを介在させることによってＮｅ発光を除去した後の光がパネルから放射される。この場合、実施の形態１に係るＰＤＰ１を基本的に用いているので、青色の蛍光体３８Ｂから発光される青色光の強度は従来のＰＤＰよりも十分に大きく、青色フィルター５３によって幾分減衰を受けても、パネルから放射される青色光の強度は十分に大きい。その結果、青の色純度が良好で、かつ白色表示の色温度が高いＰＤＰを実現することが出来る。しかも、フィルターとしては青色用のもののみを設ければ良いので、製造工程で生ずるコスト上昇を最低限に抑えることができる。
【０１０９】
なお、図１６のＰＤＰでは図１のＰＤＰ１に対して青色フイルター５３を設けた例を示したが、図７に例示される様な実施の形態２のＰＤＰ１の構造に対しても図１６の青色フィルター５３を設けることが出来ることは言うまでもない。
【０１１０】
以上の通り、本実施の形態に係るＰＤＰは、実施の形態１又は２のＰＤＰ１において、ＰＤＰの表示面側の基板である第１基板の内面の内で青色発光セルに対応する領域の内面上に形成された誘電体層１７の内部に、透過率が青色光の波長については高く、赤色光の波長については透過率が低いスペクトルをもつフィルター５３を配備した点に、その特徴を有する。
【０１１１】
尚、青色フィルター５３の配置位置は上記の誘電体層１７内部に限定されるものではない（勿論、図１６（Ｂ）のように、１表示ラインにおける対向する両バス電極４２で挟まれる平面領域（そこが光が表示面Ｓへ向けて透過する最大領域である）をカバーできるだけの面積を有する青色フィルター５３が誘電体層１７の内部に配設されている場合が最も好ましい）。例えば、１表示ラインの対向する透明電極４１で挟まれた第１基板１１の内面上にのみ青色フィルターを設けても良いし、当該内面上に加えて１表示ラインの両Ｘ，Ｙ電極ＥＸ，ＥＹの表面上を被覆するように青色フィルターを設けても良く、更には青色発光セルに対向する第１基板１１内の位置に青色フィルターを設けても良い。要は、上記の透過スペクトル特性を有する青色フィルターを、青色の単位発光領域に対応する前面パネル１Ｐ１内の位置に配備すれば良いのである。
【０１１２】
（実施の形態５）
本実施の形態は、実施の形態１のＰＤＰ１を採用したことにより新たに生じる問題点を改良する形態である。
【０１１３】
即ち、図１の構造を持つＰＤＰ１においては、結果的に隣り合うＡ電極２２同士の間隔が不等ピッチとなる（図１７参照）。このＡ電極２２の一方の端部（端子部）は蛍光体３８によって（後述する図２８ではグレーズ層によって）被覆されておらず、第２基板端部において図示しないＦＰＣ板の電極と接続されることにより、ＦＰＣ板を介して図３０のＡ電極駆動回路１４３と電気的に接続されなければならない。しかし、ＦＰＣ板の電極の配列をＡ電極２２の不等ピッチに整合させた上でＦＰＣ板とＡ電極２２の端子部とを互いに接続することは全く不可能なことではないが、次のような問題点を生じさせる。即ち、通常、Ａ電極の平均ピッチは０．５ｍｍ以下であることが多く、ＰＤＰ装置をＨＤＴＶ（Ｈｉｇｈ  Ｄｅｆｉｎｉｔｉｏｎ  ＴＶ：高品位テレビ）の様な高解像度の表示装置として用いるためには、Ａ電極のピッチを０．２ｍｍ程度にする必要があり、この場合のＦＰＣ板内の配線の絶縁距離は平均で０．ｌｍｍ程度となる。加えて、Ａ電極には信号として５０Ｖ〜７０Ｖ程度の電圧が印加される。ところが、現在一般に用いられているＦＰＣ板の絶縁耐圧が絶縁距離は０．１ｍｍのときには１００Ｖが限界である。このため、図１のＰＤＰ１を採用して、つまり、隣り合うＡ電極同士間のピッチを不等ピッチとして、更に狭い絶縁距離をＦＰＣ板に設けることは、絶縁破壊に対する信頼性を確保する上で大きな障害となる。
【０１１４】
そこで、この問題点を解決するために、本実施の形態では、Ａ電極２２の端子部が第２基板の端部に於いて略等しい間隔で配列されるように、端子部の形状を改善している。この際、実用性を高めるために、接続される各ＦＰＣ板の幅に合わせてＡ電極の端子部群をいくつかのブロックに分割しても良い。
【０１１５】
図１８に、その一例を示す。同図１８では、単位発光領域の第１方向Ｄ１の幅が広い青色に対応したＡ電極２２の端子部２２ＥＢの形状を直線状に設定する一方、緑色及び赤色に対応した各Ａ電極２２の端子部２２ＥＧ，２２ＥＲの形状の一部を同一画素内の隣接する青色のＡ電極２２の端子部２２ＥＢ側へ向けて折り曲げることにより、図示しないＦＰＣ板内の対応する電極に接続される各端子部２２Ｅの接続部分とその近傍が互いに等ピッチｄで配列された構成としている。尚、Ｗは端子部２２Ｅの幅である。これにより、上記の問題点を解決することが可能となる。
【０１１６】
（実施の形態６）
本実施の形態は、実施の形態２の改良に係わる。以下では、実施の形態２のＰＤＰ１を採用することにより新たに生ずる問題点について述べた上で、その解決策を提案する。
【０１１７】
例えば図７に示されたＰＤＰ１においては、１画素ＥＧを形成する４つのストライプ状の単位発光領域ＥＵの色成分がＲＢＧＢとして配列されているが、２つの青色（Ｂ）の単位発光領域ＥＵ（３８Ｂａ），ＥＵ（３８Ｂｂ）は１つの画素ＥＧに対応しているので、両領域ＥＵ（３８Ｂａ），ＥＵ（３８Ｂｂ）におけるＡ電極２２に全く同じ信号を印加することでＰＤＰ１の表示を行えばよいことになる。しかし、同じ信号を両領域ＥＵ（３８Ｂａ），ＥＵ（３８Ｂｂ）の各Ａ電極２２に用いる際に、Ａ電極駆動回路（以下、アドレスドライバと称す）１４３を構成する複数のアドレスドライバＩＣの各々の出力端子を単純にそれぞれのＡ電極２２の端子部に割り当てることにすると、上記ＩＣの数が多くなってしまうため、コストの上昇が生ずる。そこで、１画素ＥＧにおける２つの青色（Ｂ）の単位発光領域ＥＵ（３８Ｂａ），ＥＵ（３８Ｂｂ）のＡ電極２２を互いに電気的に接続し、且つ対応する１つのアドレスドライバＩＣの１本の端子を１画素ＥＧの両領域ＥＵ（３８Ｂａ），ＥＵ（３８Ｂｂ）の各Ａ電極２２に対応付けることで、アドレスドライバＩＣの総数を３／４に削減する事を考えなければならない。ところが、この構成をＰＤＰ１の第２基板２１上で実現するためには、立体交差を含む電極線を第２基板２１上に設ける必要がある。このような配線は技術的に不可能ではないが、第２基板２１は通常ガラス基板であり、かつ、Ａ電極２２は金属で構成されている、即ち、背面パネルは耐熱性の無機材料で構成されているので、第２基板２１の内面上に立体交差を含む回路配線を形成することは熱処理工程を増大させてコスト高を招いてしまう。
【０１１８】
Ａ．  解決策その１
そこで、立体交差を含む回路配線を安価に実現するための第１の方法として、ＰＤＰ１の背面パネル側に実装されるアドレスドライバ回路基板（例えばプリント基板）内の配線部分において、上記の立体交差の配線を実現することが考えられる。そのような配線例を図１９に示す。同図１９に示す電気的接続は、次の通りである。
【０１１９】
即ち、アドレスドライバ回路基板５７上に搭載された複数のアドレスドライバＩＣ５４の各々の各出力端子からは、各画素ＥＧに対応して、赤色の単位発光領域ＥＵ（３８Ｒ）のＡ電極２２に印加すべき信号を伝達する赤色用信号配線（第２信号配線）５５Ｒ１，…，５５Ｒｍ−３、青色の単位発光領域ＥＵ（３８Ｂａ），ＥＵ（３８Ｂｂ）のＡ電極２２に印加すべき信号を伝達する共通の青色用信号配線（１本の第１信号配線）５５Ｂ２，…，５５Ｂｍ−２及び緑色の単位発光領域ＥＵ（３８Ｇ）のＡ電極２２に印加すべき信号を伝達する緑色用信号配線（第２信号配線）５５Ｂ３，…，５５Ｇｍ−１が、同基板５７上の対応する出力端子（ＴＡ１，…，ＴＡｍ−３），（ＴＡ２，…，ＴＡｍ−２），（ＴＡ３，…，ＴＡｍ−１）に到るまで、同基板５７上に延長形成されている。そして、特徴的な点として、各青色用信号配線５５Ｂ２，…，５５Ｂｍ−２は、その途中で、第１青色用信号配線（他方の分岐信号線に該当）５５Ｂａ２，…，５５Ｂａｍ−２と第２青色用信号配線（一方の分岐信号線）５５Ｂｂ４，…，５５Ｂｂｍとに分岐し、しかも、各第２青色用信号配線５５Ｂｂ４，…，５５Ｂｂｍは、その隣の緑色用信号配線５５Ｇ３，…，５５Ｇｍ−１と同基板５７上で立体交差した上で、その後、対応する出力端子ＴＡ４，…，ＴＡｍに向かって且つその隣の緑用信号配線５５Ｇ３，…，５５Ｇｍ−１と平行に同基板５７上に延長形成されている。これにより、第２基板２１上に形成されている各Ａ電極２２１，…，２２ｍを互いに立体交差させることなく、第２方向Ｄ２（図７）に沿って延長形成することが可能となる。尚、図１９中の符号５６はＦＰＣ板を示す。
【０１２０】
アドレスドライバ回路基板５７においては、同基板５７を多層構造基板とした上で多層構造間のスルーホールを介した電気的接続により、または、同基板５７を両面配線基板とした上で表裏面間のスルーホールを介した電気的接続を用いるという方法等を利用することにより、図１９に示すような青色用信号配線５５Ｂａｊ（ｊは４の倍数）とその隣の緑色用配線５５Ｇｊ＋１との立体交差を容易に構成することが出来る。
【０１２１】
このように、Ａ電極２２に関するＰＤＰ１の第２基板２１上の配線およびＦＰＣ板５６側の配線の全てを、互いに立体交差させることなく互いに電気的に分離した状態にすることができ、この状態でアドレスドライバ回路基板５７の出力端子ＴＡ２，ＴＡ４，…，ＴＡｍ−２，ＴＡｍ側から同一画素ＥＧの青色の単位発光領域ＥＵ（３８Ｂａ），ＥＵ（３８Ｂｂ）に関するＡ電極２２の端子部に対して同一の信号を出力することができる。これにより、安価で色温度の高いＰＤＰ装置を実現することができる。
【０１２２】
尚、本解決策における考え方は、図７の場合のみならず、実施の形態２で説明した他の全ての変形例に対しても適用可能である。この場合、分岐した一方の青色用信号配線を１回又は２回（例えば、色配列ＢＲＧＢの場合）だけ他の色の信号配線と交差させることになる。
【０１２３】
Ｂ．  解決策その２
上記問題点の別の解決方法としては、第２基板の第２方向に関して対向する両端部の各々側に、赤色及び緑色専用のアドレスドライバ回路基板と青色専用の回路基板とをそれぞれ設けることが考えられる。この方法を図７のＰＤＰ１に対して適用した例を、ＰＤＰの上面図形式と回路基板側のブロック図形式とを用いて描かれた図２０に模式的に示す。
【０１２４】
同図２０において、５８は、赤色及び緑色専用の第１アドレスドライバ回路基板であり、Ｒ＆Ｇアドレスドライバ（少なくとも１つのＩＣより成る）５９は同基板５８上に搭載されており、同基板５８は、第２基板２１の第２方向Ｄ２と直交する側面の内で、露出した赤色及び緑色用のＡ電極２２の端子部が配設されている側面の外側に配置される。他方、青色専用の第２アドレスドライバ回路基板６１は、青色の単位発光領域ＥＵ（３８Ｂａ），ＥＵ（３８Ｂｂ）のＡ電極２２１，２２３，２２５，２２７，…，２２ｍ−３，２２ｍ−１の端子部（露出している）が位置する第２基板２１の対向側面の外側に配置されている。そして、同基板６０上には、Ｂアドレスドライバ（少なくとも１つのＩＣより成る）６１が搭載され、同ドライバ６１の１本の出力端子は、１画素における２つの青色の単位発光領域ＥＵ（３８Ｂａ），ＥＵ（３８Ｂｂ）の両Ａ電極２２（（２２１，２２３），（２２５，２２７），…，（２２ｍ−３，２２ｍ−１））に対応付けられている。そして、同ドライバ６１の各出力端子より同基板６０上に延長形成されている信号配線は、その途中で、１画素における２つの青色の単位発光領域ＥＵ（３８Ｂａ），ＥＵ（３８Ｂｂ）の各Ａ電極２２に対応するように分岐した上で、分岐後の各信号配線は、対応する出力端子ＴＡ１，ＴＡｍ−３，…，ＴＡｍ−３，ＴＡｍ−１に接続している。
【０１２５】
この方法によれば、アドレスドライバ回路基板の数が増えてしまうけれども、第１及び第２アドレスドライバ回路基板５８，６０内の配線を図１９の場合と比べて極めて単純に構成することも可能となる。
【０１２６】
（変形例）
図２０の構成に代えて、図２１に示すように、ＰＤＰ１の第２基板２１の端部上で単位発光領域ＥＵ（３８Ｂａ）と単位発光領域ＥＵ（３８Ｂｂ）との各Ａ電極２２の端子部２２Ｅ同士を接続パターン部ＣＰＰを介して互いに電気的に接続し、両Ａ電極２２同士の接続パターン部分ＣＰＰと図２０のＢアドレスドライバ６１の対応する出力端子とをＦＰＣ板６３で互いに電気的に接続するようにしても良い。このときには、第２基板２１上でＡ電極２２の立体交差を実現する必要はなく、単に上記接続パターン部ＣＰＰを設ければ良いだけである。そして、接続パターン部ＣＰＰの配設が製造コストに対して与える影響は小さく、問題とはならない。
【０１２７】
尚、本解決策その２もまた、実施の形態２の他の例に適用可能である。
【０１２８】
（実施の形態７）
本実施の形態は、実施の形態２の改良に関する。
【０１２９】
例えば単位発光領域の発光色の配列をＢＧＢＲＢＧＢＲ…のように設定した場合（図１２参照）には、配列ＢＧＢＲから成る４つの単位発光領域を一つの画素をなすものとして表示を行うことが出来る。しかし、この表示方法を用いてより高精細のプラズマディスプレイ装置を構成する際には、従来の図３１のＰＤＰを有するプラズマディスプレイ装置の場合と比べて、更に高いパネル製造の精度が必要となる。しかし、表示装置の高精細化の進展は市場の強い要求から避けることが出来ない状況にある。このため、パネル製造の精度を更に高めることなく、実施の形態２のＰＤＰ１を、その効果を維持しつつ、より高精細化するための改良が必要となっている。
【０１３０】
ところで、通常のテレビジョン放送の受信映像や映画の画像などのような、自然画像を表示する用途に関しては、細かい文字や細かい図形を忠実に表示する機能を実現するよりも、ビデオ画像を高解像度で以て自然な画像として表示を行う機能の方が重要である。
【０１３１】
そこで、実施の形態２のＰＤＰ１に後者の機能を充実させることにより、上記の改良を実現することが可能になると考える。そのためには、図２２の透視拡大平面図に示すように、ＲＢの配列からなる２つの単位発光領域ＥＵ（３８Ｒ），ＥＵ（３８Ｂａ）の組（第１グループに該当）およびＧＢの配列から成る２つの単位発光領域ＥＵ（３８Ｇ），ＥＵ（３８Ｂｂ）の組（第２グループに該当）をそれぞれ１画素分の表示領域に設定する事で対処可能である。例えば、水平方向（第１方向）に６４０個のＲＢＧＢ配列をもつＰＤＰ１を用いて、水平方向に１２８０個分の画素に相当するＲＧＢ色の輝度信号がＰＤＰ１に入力される場合を考えると、入力された各輝度信号を色配列ＲＢと色配列ＧＢとから成る２種類の画素ＥＧ１，ＥＧ２にそれぞれ割り当てて表示を行う。例えば、色配列ＲＢの画素ＥＧ１については、Ｇ色の輝度信号を使用せず、Ｂ色とＧ色との輝度信号だけを利用して当該画素ＥＧ１の表示を行う。他方の色配列ＧＢの画素ＥＧ２についても同様に、Ｇ色の輝度信号を使用せずに、Ｂ色とＲ色との輝度信号のみを利用して当該画素ＥＧ２の表示を行う。このような方法を用いると、各画素ＥＧ１，ＥＧ２は入力された本来の輝度信号が２／３に削減されている結果、色が足りないこととなり、画素毎には正しい色を表示しているわけではないことになる。しかし、通常のビデオ画像は概ねなだらかに連続した信号で構成されており、単一画素の表示の正確さよりも被写体全体を一つの対象として忠実に表示出来るかどうかの方が寧ろ問題となる。従って、図２２で例示した上記の画素構成を実施の形態２の各ＰＤＰ１（図７，図９〜図１４）に用いても、各画素の表示を総合して肉眼から認識される画像は不自然にはならず、寧ろ実効的な解像度を高めて高精細なビデオ画像を実現することが出来る。しかも、実施の形態２のＰＤＰ２の構成を用いているので、青色がかった白色表示の画像を、蛍光体の劣化の増大をもたらすことなく且つ赤色及び緑色の階調を犠牲にすることなく実現できる。
【０１３２】
（実施の形態８）
本実施の形態は、実施の形態１の採用により新たに生ずる問題点を克服することに主眼を有する。そこで、先ず、この問題点を以下に詳述する。
【０１３３】
実施の形態１においては、図１に示すように、Ａ電極２２の第１方向Ｄ１における幅は、単位発光領域ＥＵの第１の方向Ｄ１における幅に関わらずに、ほぼ一定に設定している。
【０１３４】
しかしなから、単位発光領域ＥＵの第１の方向Ｄ１における幅が広くなり、これに応じて当該単位発光領域ＥＵの放電空間３０が広がるにつれて、当該放電空間３０における放電開始電圧が低下する。このため、単位発光領域ＥＵ毎に最適な印加電圧が異なってしまい、駆動が困難になるという問題点が生ずる。例えば、図３０に示した駆動方法を用いる場合には、アドレス期間におけるアドレスパルスｎ２の電圧が最適値よりも低いと、アドレス放電が不完全となり、点灯すべきセルが点灯しなくなるという問題点が生じる（書込不足）。
【０１３５】
逆に、アドレスパルスｎ２の電圧が最適値に対して高すきるときには、アドレスパルスｎ２の立ち下がりにおいて、壁電荷のみによって放電を発生する、いわゆる自己消去放電が生じ、この自己消去放電によって壁電荷が消去される結果、やはり点灯すベきセルが点灯しないという問題点が生じる（自己消去）。
【０１３６】
従って、単位発光領域ＥＵの第１方向Ｄ１における幅が色毎に異なる場合には、幅が比較的狭い単位発光領域においては、放電開始電圧が上昇することによって相対的にアドレスパルスの電圧が不足し、書込不足となり易くなる。逆に、幅が比較的広い単位発光領域においては、放電開始電圧が低下することによって相対的にアドレスパルスの電圧が過剰となり、自己消去が発生し易くなる。
【０１３７】
即ち、全ての単位発光領域にわたって、適切な電圧のアドレスパルスを印加することができなくなり、書込不足か、あるいは自己消去のいずれかが発生してしまうという問題点が生ずる。
【０１３８】
そこで、本実施の形態では、実施の形態１におけるＰＤＰに対して、単位発光領域の第１方向における幅が広くなるに従って逆にＡ電極の第１方向における幅を細く設定することにより、単位発光領域の第１方向の幅寸法に関わらず、各単位発光領域における最適な印加電圧が互いにほぼ同一となることを可能にしている。
【０１３９】
以下では、図１のＰＤＰ１に対して上記の改善策を施す場合について、具体的に説明する。
【０１４０】
図２３は、本実施の形態におけるＰＤＰ１の１画素分の断面構造を示す斜視図を示す。
【０１４１】
同図２３のＰＤＰ１では、実施の形態１において図１に示したＰＤＰ１と同様に、青色の単位発光領域ＥＵ（３８Ｂ）の第１方向Ｄ１における幅が、赤色の単位発光領域ＥＵ（３８Ｒ）および緑色の単位発光領域ＥＵ（３８Ｇ）の幅よりも広く形成されている場合に該当する。符号２２Ｒ、２２Ｇ、２２Ｂはそれぞれ赤（Ｒ）、緑（Ｇ）、青（Ｂ）の各色の単位発光領域ＥＵにおけるＡ電極であり、青色の単位発光領域ＥＵ（３８Ｂ）におけるＡ電極２２Ｂの幅は、赤色及び緑色の単位発光領域ＥＵ（３８Ｒ），ＥＵ（３８Ｇ）におけるＡ電極２２Ｒ，２２Ｇの幅よりも細く設定されている。
【０１４２】
青色の単位発光領域ＥＵ（３８Ｂ）の面積は、赤色及び緑色の単位発光領域ＥＵ（３８Ｒ），ＥＵ（３８Ｇ）の面積よりも広いため、放電空間３０中、青色の単位発光領域ＥＵ（３８Ｂ）に該当する部分における放電開始電圧は他の色のそれよりも低い。従って、アドレス動作においては、青色の単位発光領域ＥＵ（３８Ｂ）におけるアドレスパルス電圧の最適値は、赤色および緑色の単位発光領域ＥＵ（３８Ｒ），ＥＵ（３８Ｇ）におけるアドレスパルス電圧の最適値よりも低くなっている。
【０１４３】
他方、Ａ電極２２の幅が細ければ細いほど、アトレスパルスをＡ電極２２に印加したときの放電空間３０における電界強度が弱くなり、このような状態はアドレスパルス電圧を低く設定した場合と実質的に等価となる。
【０１４４】
そこで、図２３では、青色の単位発光領域ＥＵ（３８Ｂ）におけるＡ電極２２の幅を他の色のＡ電極２２の幅よりも意図的に細く設定することにより、アドレスパルス電圧の最適値を補正し、一定のアドレスパルス電圧を各Ａ電極２２に印加しても、各単位発光領域ＥＵにおけるアドレス動作が最適に近い条件で行われるようにしている。
【０１４５】
図２３のＰＤＰ１について記述した上記の考え方は、基本的に、単位発光領域ＥＵの第１方向Ｄ１における幅が単位発光領域ＥＵ毎に異なっている、より一般的な場合にも妥当する。即ち、ここでは、青色の単位発光領域ＥＵ（３８Ｂ）の第１方向Ｄ１における幅が、赤色の単位発光領域ＥＵ（３８Ｒ）及び緑色の単位発光領域ＥＵ（３８Ｇ）のそれよりも広く形成された例を示したが、実施の形態１においても既述した通り、各発光色における単位発光領域ＥＵの第１方向Ｄ１の幅の比率を、種々の条件を勘案した上で適宜定めてもよい。この場合には、単位発光領域ＥＵの第１方向Ｄ１における幅が広くなるに従って、Ａ電極２２の幅を細くすればよい。
【０１４６】
このような構成とすることにより、単位発光領域ＥＵの第１方向Ｄ１における幅が単位発光領域ＥＵ毎に異なっていても、印加するアドレスパルスの電圧が低すぎることによる書込不足、及びアドレスパルスの電圧が高すぎることによる自己消去を共に回避することが可能となり、ちらつきのない安定した表示画像を得ることができる。
【０１４７】
（実施の形態９）
本実施の形態は、実施の形態１のＰＤＰを採用することにより新たに生ずる問題点を克服する技術を提案する。
【０１４８】
ある色の単位発光領域の第１方向における幅が他の色の単位発光領域の幅よりも広くなったときには、別の問題点が生ずる。それは、幅が広くなった単位発光領域に隣接する幅の狭い方の単位発光領域においてアドレス放電が発生したときに、幅の広い単位発光領域に誤放電が生ずるという点である。
【０１４９】
以下、この問題点について、図２４を用いて説明する。同図２４は、一対の表示電極であるＸ電極とＹ電極の内で、Ｙ電極、すなわち図３０におけるスキャンパルスｎ１を印加する側の電極に沿った切断面における、アドレス期間における電界を模式的に表したものである。同図２４において、矢印の向き及び長さは、それぞれ電界の向き及び電界の強度を模式的に表している。そして、図２４においては、第１方向における幅の広い方の単位発光領域（ここでは青色の単位発光領域）がＯＦＦ（非発光）の状態であり、隣接する緑の単位発光領域がＯＮ（発光）の状態であるときを示している。
【０１５０】
ＯＮの単位発光領域におけるＡ電極２２Ｇには、電圧＋Ｖａのアドレスパルスが印加され、Ｙ電極４１には電圧−Ｖｙのスキャンパルスが印加されることにより、Ａ電極２２ＧとＹ電極４１との間に強い電界が生じ、アドレス放電が生じる。他方、ＯＦＦ状態の単位発光領域におけるＡ電極２２Ｂの電圧は０Ｖに保たれており、弱い電界しか生じないため、正常な動作状態においてはアドレス放電は発生しない。しかしなから、隣接するＯＮ状態の単位発光領域におけるＡ電極２２Ｇから電界が漏れてくることにより、ＯＦＦ状態にある単位発光領域の端部（図２４中、破線６０で囲まれる部分）において強い電界が生じ、本来ＯＦＦ状態にある単位発光領域において不要な放電（誤放電）が発生してしまうことがある。特にＯＦＦ状態の単位発光領域が比較的幅の広い単位発光領域（この場合は青色の単位発光領域）である場合には、当該単位発光領域における放電開始電圧が低く、また当該単位発光領域におけるＡ電極の幅が他の色の単位発光領域の幅と比べて相対的に狭いため、後述するＡ電極による電界のガード作用が弱いので、誤放電がより生じやすいという問題点がある。
【０１５１】
そこで、本実施の形態では、実施の形態８とは逆に、単位発光領域の第１方向における幅が広くなるに従って、Ａ電極２２の幅を太くするように設定している。
【０１５２】
図２５は、本実施の形態の一例に係るＰＤＰの１画素部分の断面構造を示す斜視図を示す。即ち、図２５のＰＤＰ１では、実施の形態１において図１に示したＰＤＰ１と同様に、青色の単位発光領域ＥＵ（３８Ｂ）の第１方向Ｄ１における幅が、赤色の単位発光領域ＥＵ（３８Ｒ）及び緑色の単位発光領域ＥＵ（３８Ｇ）の幅よりも広く形成されている。同図２５において、符号２２Ｒ、２２Ｇ、２２Ｂはそれぞれ赤（Ｒ）、緑（Ｇ）、青（Ｂ）の各色の単位発光領域ＥＵにおけるＡ電極であり、青色の単位発光領域ＥＵ（３８Ｂ）におけるＡ電極２２Ｂの幅は、赤色及び緑色の単位発光領域ＥＵ（３８Ｒ），ＥＵ（３８Ｇ）におけるＡ電極２２Ｒ，２２Ｇの幅よりも太く設定されている。
【０１５３】
図２５のＰＤＰ１において、Ｙ電極ＥＹに沿った切断面における、アドレス期間における電界の模式図を図２６に示す。同図２６では、図２４に示した場合と同様に、幅の比較的広い単位発光領域（ここでは青色の単位発光領域）がＯＦＦ（非発光）状態であり、それに隣接する緑色の単位発光領域がＯＮ（発光）状態である場合を想定している。図２６に示すように、青色の単位発光領域におけるＡ電極２２Ｂの幅を図２４に示す幅よりも広げたことにより、隣接する緑色の単位発光領域におけるＡ電極２２Ｇから漏れてきた電界は、青色の単位発光領域におけるＡ電極２２Ｂに引き寄せられるため、青色の単位発光領域における放電空間には強い電界が生じなくなる。その代わりに、青色の単位発光領域における放電空間には、０Ｖの電圧に保たれたＡ電極２２Ｂに支配される弱い電界のみが残る（この現象を幅広のＡ電極による電界のガード作用と称す）。
【０１５４】
図２５，図２６に示した構成における考え方は、単位発光領域の第１方向における幅が単位発光領域毎に異なっている場合にも適用可能であり、この場合にも、隣接する幅の狭い単位発光領域においてアドレス放電が発生したときに幅の広い単位発光領域側で誤放電が発生するという問題点を回避することが可能である。
【０１５５】
尚、以上の説明においては、青色の単位発光領域ＥＵ（３８Ｂ）の第１方向Ｄ１における幅が、赤色の単位発光領域ＥＵ（３８Ｒ）及び緑色の単位発光領域ＥＵ（３８Ｇ）よりも広く形成されている例を示したが、実施の形態１において既述した通り、各発光色の単位発光領域の第１方向における幅の比率を、種々の条件を勘案した上で適宜定めてもよい。この場合には、単位発光領域ＥＵの第１方向Ｄ１における幅が広くなるに従って、Ａ電極の幅を太く設定すればよい。
【０１５６】
尚、アドレス不良と、誤放電とのどちらがより大きな問題となるかという点については、他の要因、例えば放電空間を満たすガスの種類、隔壁の高さ、隔壁の頂部の平坦度、Ａ電極の位置精度等の諸条件によって左右される。即ち、(1)本実施の形態に示したように、Ａ電極２２の幅を単位発光領域ＥＵの第１方向Ｄ１における幅の拡大に応じて広げるか、あるいは、(2)実施の形態８に示したように逆に狭めるか、あるいは、(3)実施の形態１に示したように、製造の容易さを優先させて各単位発光領域ＥＵにおけるＡ電極２２の幅を全て同一とするかについては、どの問題点がより大きな問題点となるかに従って適宜選択することが可能である。
【０１５７】
（実施の形態１０）
本実施の形態は、実施の形態１のＰＤＰ１及び同形態１の改良形にあたる実施の形態３〜５，８，９のＰＤＰ１を採用することにより生ずる新たな問題点を解決するものである。
【０１５８】
既述した実施の形態においては、赤色、青色、緑色の蛍光体３８Ｒ、３８Ｂ、３８Ｇのいずれもが隔壁２９の側面を保護層１８に近接する部分に到るまで被覆していたが、その様な構成によれば、ＰＤＰ１の視野角が狭くなってしまうという問題点が新たに生ずる。具体的には、第１基板１１を間に挟んで赤色、青色、緑色の蛍光体３８Ｒ、３８Ｂ、３８Ｇの発光を観察する人の視線が、隔壁２９に垂直な面内で表示面Ｓに垂直な方向Ｄ３となす角度である開き角θ（後述の図２７参照）が大きくなるにつれて、隔壁２９の影に隠れる赤色（Ｒ）、青色（Ｂ）、緑色（Ｇ）の蛍光体３８Ｒ、３８Ｂ、３８Ｇの部分が大きくなるので、各色の発光強度が減衰していく。しかし、青色の蛍光体３８Ｂに関しては、それを挟み込む両隔壁２９の隣接間隔が他の色の場合よりも広いので、開き角θの増加に伴う上記発光強度の減衰は赤色や緑色の蛍光体３８Ｒ、３８Ｇに比べて緩やかになる。そのため、開き角θが大きくなるにつれて、赤色、青色、緑色の発光強度バランスが崩れる結果、色が青色方向に変わり視野角が狭くなるという問題点が発生する。
【０１５９】
そこで、本実施の形態では、次のような改良を施している。
【０１６０】
図２７は、本実施の形態に係るＰＤＰ１の放電セル構造をＡ電極２２のリード方向に垂直な断面で切断したときの状態について表わした縦断面図である。図２７中の各符号中、図１における符号と同一のものは同一のものを示す。尚、符号６２は後述するグレーズ層である。ここでは、図２７に示す様に、(1)青色の蛍光体（第１蛍光体）３８Ｂを挟み込む両隔壁２９の隣接間隔を赤色の蛍光体（第２蛍光体）３８Ｒ或は緑色の蛍光体（第２蛍光体）３８Ｇを挟み込む両隔壁２９の隣接間隔よりも大きく設定すると共に、(2)青色の単位発光領域（第１単位発光領域）に関して、隔壁２９の側面の内で保護層１８に近接する部分６１を青色の蛍光体３８Ｂによって被覆しない構造としている。他方、隣接する赤色及び緑色の単位発光領域（第２単位発光領域）に関しては、赤色の蛍光体３８Ｒ及び緑色の蛍光体３８Ｇは、従来同様に、隔壁２９の側面をその底部から保護層１８に近接する部分６１に到るまで被覆している。
【０１６１】
このように、本実施の形態では、上記の特徴的な構成(1)及び(2)を採用しているので、開き角θの増加に伴う青色の発光強度の減衰を赤色や緑色の発光強度の減衰と同程度にすることができるので、斜め方向から見た場合の表示特性の改善を図ることができる。
【０１６２】
なお、図２７では、隔壁２９の側面の保護層１８に近接する部分６１を青色の蛍光体３８Ｂで被覆しない構造としているが、これに代えて、同部分６１に於ける青色の発光強度が同単位発光領域に於ける他の部分と比べて充分に弱くなるように、青色の蛍光体３８Ｂによる同部分６１の被覆厚みを小さく設定する構造を採用しても良い。この変形例の場合には、必然的に、隔壁２９の側面の内で保護層１８に近接する部分６１における各種蛍光体３８の被覆厚みに関しては、青色の蛍光体３８Ｂが赤色または緑色の蛍光体３８Ｒ、３８Ｇよりも小さいものとなる。
【０１６３】
以上のように本実施の形態によれば、(1)青色の蛍光体を挟む隔壁の隣接間隔を赤色の蛍光体或は緑色の蛍光体を挟む隔壁の隣接間隔よりも大きくすると共に、(2)隔壁の側面の保護層に近接する部分における青色の蛍光体による被覆厚みを相対的に小さくする構造としているので、表示面を真正面から見た時の赤色、青色、緑色の発光強度バランスを所望のものに近付けられる一方、赤色、青色、緑色の発光強度バランスに関する視野角の損失が大きくなるという問題点をも改善することができる。
【０１６４】
（実施の形態１〜１０に共通する変形例）
（１）実施の形態１〜１０では、例えば図１，図７，図２３及び図２５に示すように、第２基板の内面上に隔壁及び蛍光体が形成されていたが、第２基板の内面とその内面上に形成されたＡ電極とを被覆する誘電体層（グレーズ層）を下地層として設けた上で（勿論、Ａ電極の端子部近傍は上記下地層によって被覆されない）、この下地層の表面上に隔壁及び蛍光体を形成するようにしても良い。その一例として、図１のＰＤＰ１に対する、そのような変形例を図２８に示す。同図２８において、符号６２は上記誘電体層に該当し、同層６２はＡ電極２２の材料のマイグレーション防止や蛍光体より発生した光の反射層等として機能する。
【０１６５】
ここで、上記の変形例をも考慮するならば、「第１基板」を次の様に広義に理解することができる。即ち、誘電体層６２を含むＰＤＰ１の場合には、各部２１，２２，６２から成る部分が「第１基板」に該当し、「第１基板の表面」は誘電体層６２の表面に該当する。それに対して、誘電体層６２を含まないＰＤＰ１の場合には、Ａ電極２２を有する第１基板２１が「第１基板」をなすことになる。
【０１６６】
（２）実施の形態１〜１０で述べた技術的特徴を、第１方向に離間配置された隔壁群と、当該隔壁群の各々に立体交差して第２方向に離間配置された別の隔壁群とを第２基板上に有するＰＤＰ及びＰＤＰ装置に適用することは可能である。
【０１６７】
又、実施の形態１〜１０の各技術的特徴は、第２基板に設けられた隔壁の頂上部が直接に第１基板の保護層の表面に接触しないＰＤＰ及びＰＤＰ装置にも、これを適用可能であることは勿論である。
【０１６８】
【発明の効果】
この発明は、以上説明したように構成されているので、以下に示すような効果を奏する。
【０１６９】
請求項１及び２６ないし２８の各発明によれば、実現される色温度が６５００Ｋ以上であるフルカラーの画像表現が可能であって、維持周期を変更することなく、また他の色の階調数を損なうことなく画像の表示が可能であり、さらに蛍光体の劣化を防止して長期にわたって色再現性に優れたプラズマディスプレイ装置を得ることができる。
【０１７０】
請求項２の発明によれば、高い色温度の白色を表示できる。
【０１７１】
請求項３の発明によれば、比視感度の低い発光色の輝度を高めることができる。
【０１７２】
請求項４の発明によれば、色温度の高い白色を実現できる。
【０１７３】
請求項５の発明によれば、実現される色温度が６５００Ｋ以上であるフルカラーの画像表現が可能であって、蛍光体の劣化を防止して長期にわたって色再現性に優れたプラズマディスプレイパネルを得ることができる。
【０１７４】
請求項６の発明によれば、高い色温度の白色を表示できる。
【０１７５】
請求項７の発明によれば、比視感度の低い発光色の輝度を高めることができる。
【０１７６】
請求項８の発明によれば、色温度の高い白色を実現できる。
【０１７７】
請求項９ないし１１の各発明によれば、装飾性を損なうことなく且つ他の発光色の表示に影響を及ぼすことなく、色温度の高い良好な画像表示を実現し得る。
【０１７８】
請求項１２及び１３の両発明によれば、青色の単位発光領域から、放電ガスの成分（特にＮｅ）が発する光が除去された光を放射することができ、青色の色純度を高めつつ、白色表示の色温度の高い表示装置を実現することができる。
【０１７９】
請求項１４及び１５の各発明によれば、各アドレス電極の端子部に接続すべき、パネル外部の基板の電極配列のピッチが不等ピッチとなることを防止しうる。
【０１８０】
請求項１６及び１９の両発明によれば、個々のパネルの各種の条件に応じて、アドレス放電時の書込み不足及び自己消去又はアドレス放電時の誤放電の内のいずれか一方を臨機応変に改善することができる。
【０１８１】
請求項１７及び２０の両発明によれば、印加するアドレスパルスの電圧が低すぎることによる書込み不足及びアドレスパルスの電圧が高すぎることによる自己消去を回避することができ、ちらつきの無い安定した表示画像を得ることができるという利点がある。
【０１８２】
請求項１８及び２１の両発明によれば、幅を太くした方のアドレス電極による電界のガード作用を実現して、アドレス放電時に誤放電が生ずるのを防止することができるという効果を奏する。
【０１８３】
請求項２２及び２３の両発明によれば、真正面から表示面を眺めたときの各発光色の発光強度バランスを所望の値に近付けることができると共に、斜め方向から表示面を眺めたときでも視野角の損失の増大を抑制して表示特性の改善を図りうるという効果がある。
請求項２４及び２５の両発明によれば、各アドレス電極を容易に製造することができ、アドレス電極の断線や幅の変動が発生しにくいという効果がある。
【図面の簡単な説明】
【図１】  実施の形態１におけるプラズマディスプレイパネルの要部断面構造を示す斜視図である。
【図２】  実施の形態１における表示面Ｓからみた画素ＥＧおよび単位単位発光領域ＥＵの関係を示す説明図である。
【図３】  実施の形態１における蛍光体とその配光成分について説明するための模式図である。
【図４】  実施の形態１における隔壁の第２の方向に垂直な面で切断したときの断面図である。
【図５】  実施の形態１におけるＰＤＰの要部構造の断面図である。
【図６】  実施の形態１における赤色、緑色の輝度を固定とし、青色の輝度を変化させたときの色温度の値の変化を示す説明図である。
【図７】  実施の形態２におけるＰＤＰの要部構造を示す斜視図である。
【図８】  実施の形態２における画素ＥＧに含まれる各単位発光領域ＥＵの幅を説明するための説明図である。
【図９】  実施の形態２における各蛍光体の配列の模式図である。
【図１０】  実施の形態２における各蛍光体の配列の模式図である。
【図１１】  実施の形態２における各蛍光体の配列の模式図である。
【図１２】  実施の形態２における各蛍光体の配列の模式図である。
【図１３】  実施の形態２における各蛍光体の配列の模式図である。
【図１４】  実施の形態２における各蛍光体の配列の模式図である。
【図１５】  実施の形態３に係るＰＤＰ装置の一例を模式的に示す縦断面図である。
【図１６】  実施の形態４に係るＰＤＰ装置の一例を模式的に示す縦断面図である。
【図１７】  実施の形態１のＰＤＰを採用した場合に生ずる問題点を指摘するための上面図である。
【図１８】  実施の形態５に係るＰＤＰのＡ電極の端子部の形状の一例を示す上面図である。
【図１９】  実施の形態６の解決策その１の構成例１を示すブロック図である。
【図２０】  実施の形態６の解決策その２の構成例を示す図である。
【図２１】  実施の形態６の解決策その２の変形例を示す図である。
【図２２】  実施の形態７に係るＰＤＰの画素構成の一例を模式的に示す透視上面図である。
【図２３】  実施の形態８に係るＰＤＰの一例を示す斜視図である。
【図２４】  実施の形態１のＰＤＰを採用したときに生ずる問題点を指摘する縦断面図である。
【図２５】  実施の形態９に係るＰＤＰの一例を示す斜視図である。
【図２６】  実施の形態９に係るＰＤＰの作用を模式的に示す縦断面図である。
【図２７】  実施の形態１０に係るＰＤＰの構成の一例を示す縦断面図である。
【図２８】  実施の形態１〜１０に共通の変形例の一例を示す斜視図である。
【図２９】  従来のプラズマディスプレイ装置を示すブロック図である。
【図３０】  １サブフィールド内での駆動信号の波形を示すタイミングチャートである。
【図３１】  従来のＰＤＰの構造を示す斜視図である。
【図３２】  従来のＰＤＰにおける表示面Ｓ側よりみた各蛍光体の配列を示す模式図である。
【符号の説明】
３８Ｂ  青色の蛍光体、３８Ｒ  赤色の蛍光体、３８Ｇ  緑色の蛍光体、ＥＧ  画素、ＥＵ  単位発光領域、δ（Ｒ）  赤色の蛍光体の幅、δ（Ｇ）  緑色の蛍光体の幅、δ（Ｂ）  青色の蛍光体の幅、δ（Ｂａ）  青色の蛍光体の幅、δ（Ｂｂ）  青色の蛍光体の幅。